(57)【特許請求の範囲】
【請求項１】
ゴルフクラブヘッドであって、
上端部および前記上端部の反対側にある底端部と、
前端部および前記前端部の反対側にある後端部と、
トゥ端部および前記トゥ端部の反対側にあるヒール端部と、
フェース要素であって、
前記前端部に位置し、フェース中心およびフェース周縁部を備えるフェース面と、
前記後端部に位置し、前記フェース面とは略反対側にある後面であって、前記フェース中心の略反対側にある後中心および後周縁部を備える後面と、
を備える前記フェース要素と、
前記後面に位置する強化デバイスと、を備え、
ｘ軸が、前記フェース面に略平行に延在し、かつ前記後中心を通過し、
ｙ軸が、前記フェース面に略平行に延在し、前記ｘ軸に略垂直に延在し、かつ前記後中心を通過し、
ｚ軸が、前記フェース面に略垂直に延在し、前記ｘ軸および前記ｙ軸に略垂直に延在し、かつ前記後中心を通過し、
前記ｘ軸が、前記トゥ端部および前記ヒール端部を通って、前記上端部と前記底端部から等距離の位置で延在し、
前記ｙ軸が、前記上端部および前記底端部を通って、前記トゥ端部と前記ヒール端部から等距離の位置で延在し、
前記ｚ軸が、前記前端部および前記後端部を通って、（ｉ）前記トゥ端部と前記ヒール端部から、（ｉｉ）前記上端部と前記後端部から等距離の位置で延在し、
前記強化デバイスが、略前記ｚ軸上に位置する幾何学的中心を備える強化要素を備え、
前記強化要素が、前記後面から前記後端部に向かうとともに前記前端部から離れるように延在し、
前記強化要素が、外周縁面および内周縁面を有する円形状のループ状リブを備え、
前記フェース面が、前記フェース周縁部の近位においてよりも前記フェース中心の近位において前記後面により近くなっており、
前記強化要素の前記外周縁面が、およそ０．０１２センチメートル以上の半径を有するすみ肉を用いて、前記後面に対してすみ肉付けされ、
前記内周縁面が、およそ０．６０９センチメートル以上からおよそ１．８８センチメートルの最大のリブスパンを含む、ゴルフクラブヘッド。
【請求項２】
前記フェース面が、前記トゥ端部と前記ヒール端部との間に延在する１つまたは複数のスコアリングラインを備える、請求項１に記載のゴルフクラブヘッド。
【請求項３】
前記クラブヘッドの前記後面上に位置するリップ部をさらに備える、請求項１又は２に記載のゴルフクラブヘッド。
【請求項４】
前記フェース中心から前記後中心までの中心厚さが、およそ０．２０３センチメートル以下である、請求項１から３のいずれか一項に記載のゴルフクラブヘッド。
【請求項５】
前記ループ状リブが、前記ｘ軸に対して対称であること、及び
前記ループ状リブが、前記ｙ軸に対して対称であること、のうちの少なくとも一方である、請求項１から４のいずれか一項に記載のゴルフクラブヘッド。
【請求項６】
前記ループ状リブの前記内周縁面が、前記後面に対してすみ肉付けされる、請求項１から５のいずれか一項に記載のゴルフクラブヘッド。
【請求項７】
前記ループ状リブが、前記内周縁面と前記後面とによって画定されるキャビティを備え、
前記キャビティに加重インサートがない、請求項１から６のいずれか一項に記載のゴルフクラブヘッド。
【請求項８】
前記ループ状リブが、前記内周縁面と前記後面とによって画定されるキャビティを備え、
前記キャビティがインサートを収容する、請求項１から６のいずれか一項に記載のゴルフクラブヘッド。
【請求項９】
前記インサートが、エラストマーまたは発泡体を含む、請求項８に記載のゴルフクラブヘッド。
【請求項１０】
前記後面に配置される振動減衰特徴部を、さらに備え、
前記振動減衰特徴部が、
前記ゴルフクラブヘッドの前記後面上に配設される制振フォイルと、
前記制振フォイル上に配置されるバッジと、を備える、
請求項８又は９に記載のゴルフクラブヘッド。
【請求項１１】
前記後周縁部は、前記後面から前記後端部に向かうとともに前記前端部から離れるように延在しており、
前記後周縁部は、
前記上端部で前記後面の前記周縁部に沿って延在する第１の周縁壁部と、
前記底端部で前記後面の前記周縁部に沿って延在する第２の周縁壁部と、を備える、請求項１から１０のいずれか一項に記載のゴルフクラブヘッド。
【請求項１２】
前記強化要素が、外周縁面を備え、
前記ループ状リブが、外周縁面および内周縁面を備え、
前記強化要素の前記外周縁面が、前記ループ状リブの前記外周縁面を備え、
前記ループ状リブの前記内周縁面と前記ループ状リブの前記外周縁面との間のリブ厚さが、およそ０．０５０８センチメートルからおよそ１．４４８センチメートルである、請求項１から１１のいずれか一項に記載のゴルフクラブヘッド。
【請求項１３】
ゴルフクラブヘッドを製造する方法であって、
前記ゴルフクラブヘッドは、上端部および前記上端部の反対側にある底端部と、前端部および前記前端部の反対側にある後端部と、トゥ端部および前記トゥ端部の反対側にあるヒール端部と、を備え、
前記方法は、
前記前端部に位置し、フェース中心およびフェース周縁部を備えるフェース面と、
前記後端部に位置し、前記フェース面とは略反対側にある後面であって、前記フェース中心の略反対側にある後中心、および後周縁部を備える後面と、を備えるフェース要素を提供する工程と、
前記後面に強化デバイスを提供する工程と、を備え、
ｘ軸が、前記フェース面に略平行に延在し、前記後中心を通過し、
ｙ軸が、前記フェース面に略平行に延在し、前記ｘ軸に略垂直に延在し、前記後中心を通過し、
ｚ軸が、前記フェース面に略垂直に延在し、前記ｘ軸および前記ｙ軸に略垂直に延在し、前記後中心を通過し、
前記ｘ軸が、前記トゥ端部および前記ヒール端部を通って、前記上端部と前記底端部から等距離の位置で延在し、
前記ｙ軸が、前記上端部および前記底端部を通って、前記トゥ端部と前記ヒール端部から等距離の位置で延在し、
前記ｚ軸が、前記前端部および前記後端部を通って、（ｉ）前記トゥ端部と前記ヒール端部から、（ｉｉ）前記上端部と前記後端部から等距離の位置で延在し、
前記強化デバイスを提供する工程が、略前記ｚ軸上に位置する幾何学的中心を備える強化要素を提供する工程を含み、
前記強化要素が、前記後面から前記後端部に向かうとともに前記前端部から離れるように延在し、
前記強化要素が、外周縁面および内周縁面を有する円形状のループ状リブを備え、
前記フェース面が、前記フェース周縁部の近位においてよりも前記フェース中心の近位において前記後面により近くなっており、
前記強化要素の前記外周縁面が、およそ０．０１２センチメートル以上の半径を有するすみ肉を用いて、前記後面に対してすみ肉付けされ、
前記内周縁面が、およそ０．６０９センチメートル以上からおよそ１．８８センチメートルの最大のリブスパンを含む、方法。
【請求項１４】
前記ループ状リブが、前記内周縁面と前記後面とによって画定される中心キャビティを備え、
前記中心キャビティがインサートを収容する、請求項１３に記載の方法。
【請求項１５】
前記強化要素が、第１の強化要素を備え、
前記ループ状リブが、第１のループ状リブを備え、
前記強化デバイスを提供する工程が、第２の強化要素を提供する工程をさらに含み、
前記第２の強化要素が、第２のループ状リブを備え、
前記第２のループ状リブが、前記第１のループ状リブと略同心である、請求項１３又は１４に記載の方法。
【請求項１６】
ゴルフクラブであって、
シャフトと、
前記シャフトに結合されたゴルフクラブヘッドであって、
上端部および前記上端部の反対側にある底端部と、
前端部および前記前端部の反対側にある後端部と、
トゥ端部および前記トゥ端部の反対側にあるヒール端部と、
フェース要素であって、
前記前端部に位置し、フェース中心およびフェース周縁部を備えるフェース面と、
前記後端部に位置し、前記フェース面とは略反対側にある後面であって、前記フェース中心の略反対側にある後中心、および後周縁部を備える後面と、
を備えるフェース要素と、
前記後面に位置する強化デバイスと、
を備えるゴルフクラブヘッドと、を備え、
ｘ軸が、前記フェース面に略平行に延在し、前記後中心を通過し、
ｙ軸が、前記フェース面に略平行に延在し、前記ｘ軸に略垂直に延在し、前記後中心を通過し、
ｚ軸が、前記フェース面に略垂直に延在し、前記ｘ軸および前記ｙ軸に略垂直に延在し、前記後中心を通過し、
前記ｘ軸が、前記トゥ端部および前記ヒール端部を通って、前記上端部と前記底端部から等距離の位置で延在し、
前記ｙ軸が、前記上端部および前記底端部を通って、前記トゥ端部と前記ヒール端部から等距離の位置で延在し、
前記ｚ軸が、前記前端部および前記後端部を通って、（ｉ）前記トゥ端部と前記ヒール端部から、（ｉｉ）前記上端部と前記後端部から等距離の位置で延在し、
前記強化デバイスが、略前記ｚ軸上に位置する幾何学的中心を有する強化要素を備え、
前記強化要素が、前記後面から前記後端部に向かうとともに前記前端部から離れるように延在し、
前記強化要素が、外周縁面および内周縁面を有する円形状のループ状リブを備え、
前記フェース面が、前記フェース周縁部の近位においてよりも前記フェース中心の近位において前記後面により近くなっており、
前記強化要素の前記外周縁面が、およそ０．０１２センチメートル以上の半径を有するすみ肉を用いて、前記後面に対してすみ肉付けされ、また
前記内周縁面が、およそ０．６０９センチメートル以上からおよそ１．８８センチメートルの最大のリブスパンを含む、
ゴルフクラブ。
【発明の詳細な説明】
【技術分野】
【０００１】
関連出願の相互参照
本出願は、２０１５年６月１日に出願された米国仮特許出願第６２／１６９，０８９号、２０１５年１２月１１日に出願された米国仮特許出願第６２／２６６，０７４号、２０１６年１月１８日に出願された米国仮特許出願第６２／２８０，０３５号、及び米国仮特許出願第６２／７，２７８号の優先権を主張するものであり、２０１４年５月１５日に出願された米国仮特許出願第６１／９９４，０２９号、２０１４年７月１１日に出願された米国仮特許出願第６２／０２３，８１９号、２０１５年１月９日に出願された米国仮特許出願第６２／１０１，９２６号、及び、２０１５年４月１３日に出願された米国仮特許出願第６２／１４６，７８３号の優先権を主張する２０１５年５月１２日に出願された米国特許出願第１４／７１０，２３６号の一部継続出願であり、この全内容は、参照により本明細書に援用される。
【０００２】
本開示は、一般的にはスポーツ用具に関し、より詳細にはゴルフクラブヘッドおよびそれに関連する方法に関する。
【背景技術】
【０００３】
ゴルフクラブのさまざまな特性が、ゴルフクラブの性能に影響を及ぼし得る。例えば、ゴルフクラブのクラブヘッドの重心、慣性モーメント、および反発係数がそれぞれ、性能に影響を及ぼし得るゴルフクラブの特性である。
【０００４】
ゴルフクラブのクラブヘッドの重心および慣性モーメントは、クラブヘッドの質量分布の関数である。詳細には、クラブヘッドの質量を、クラブヘッドのソールのより近くになるように、クラブヘッドのフェースからより遠くになるように、および／またはクラブヘッドのトゥ端部およびヒール端部のより近くになるように分布させると、クラブヘッドの重心および／または慣性モーメントが変化し得る。例えば、クラブヘッドの質量を、クラブヘッドのソールのより近くになるように、および／またはクラブヘッドのフェースからより遠くになるように分布させると、クラブヘッドで打撃したゴルフボールの飛行角度が増大し得る。一方、ゴルフボールの飛行角度を増大させると、ゴルフボールが移動する距離が増大し得る。さらに、クラブヘッドの質量を、クラブヘッドのトゥ端部および／またはヒール端部のより近くになるように分布させると、クラブヘッドの慣性モーメントに影響が及び得、それが、ゴルフクラブの寛容性を変更し得る。
【０００５】
さらに、ゴルフクラブのクラブヘッドの反発係数は、少なくともクラブヘッドのフェースの可撓性の関数となり得る。一方、クラブヘッドのフェースの可撓性は、フェースの幾何形状（例えば高さ、幅、および／もしくは厚さ）、および／またはフェースの材料特性（例えばヤング率）の関数となり得る。すなわち、フェースの高さおよび／もしくは幅を最大化し、および／またはフェースの厚さおよび／またはヤング率を最小限に抑えると、フェースの可撓性が増大し、それにより、クラブヘッドの反発係数が増大し得、また、本質的にクラブヘッドからゴルフボールへのエネルギー伝達効率の尺度であるゴルフクラブのクラブヘッドの反発係数を増大させると、インパクト後にゴルフボールが移動する距離が増大し、ゴルフボールのスピンが低減し、および／またはゴルフボールのボール速度が増大し得る。
【０００６】
しかし、クラブヘッドのフェースを薄化すると、フェースからの質量がクラブヘッドの他の部分に再分配されることが可能になり得、またフェースがより可撓性になり得るものの、クラブヘッドのフェースを薄化すると、フェース内の屈曲が、座屈し破損するところまで増大するおそれもある。したがって、クラブヘッドのフェースが薄化されたときにクラブヘッドのフェースが座屈するのを防止するためのデバイスおよび方法が必要である。
【０００７】
実施形態についてのさらなる説明を容易にするために、以下の図面が提供される。
【図面の簡単な説明】
【０００８】
【図１】一実施形態によるクラブヘッドの上面、後面、トゥ側面図である。
【０００９】
【図２】図１の実施形態によるクラブヘッドの上面、正面、ヒール側面図である。
【００１０】
【図３】一実施形態による従来型のクラブヘッドの図である。
【００１１】
【図４】図３の実施形態による、従来型のクラブヘッドの図３の切断線４−４に沿った部分断面図の、従来型のクラブヘッドのフェース面がゴルフボール（図示せず）をインパクトしているところをシミュレーションし、その際、結果として生じる屈曲が３倍になっている、応力歪み解析の様子を示す図である。
【００１２】
【図５】図１の実施形態によるクラブヘッドの図２の切断線５−５に沿った断面図である。
【００１３】
【図６】一実施形態によるクラブヘッドの上面、後面、トゥ側面図である。
【００１４】
【図７】図６の実施形態によるクラブヘッドの上面、正面、トゥ側面図である。
【００１５】
【図８】図１の別の実施形態によるクラブヘッドの図２の切断線５−５に沿った側面図である。
【００１６】
【図９】図８の実施形態によるクラブヘッドの上面、後面、ヒール側面図である。
【００１７】
【図１０】ゴルフクラブヘッドを提供する方法の一実施形態に関するフローチャートである。
【００１８】
【図１１】図１０の実施形態による強化デバイスを提供する例示的作業を示す図である。
【００１９】
【図１２】振動減衰特徴部の層の一実施形態に関する図である。
【００２０】
【図１３】図１の実施形態によるクラブヘッドの図２の切断線５−５に沿った側面図である。
【００２１】
【図１４】一実施形態によるゴルフクラブの正面図である。
【００２２】
【図１５】一実施形態によるクラブヘッドの上面、後面図である。
【００２３】
【図１６】図１５の実施形態による、図１５の切断線６−６に沿ったクラブヘッドの断面図である。
【００２４】
【図１７】他の実施形態によるクラブヘッドの断面図である。
【００２５】
説明を簡潔かつ明瞭にするために、図面は、構造を包括的に示しており、本開示を不必要に不明瞭にすることを避けるために、周知の特徴及び技術については、説明及び詳細を省略する場合がある。更に、図面の要素は、必ずしも実際の縮尺を反映していない。例えば、図面の幾つかの要素の寸法は、本発明の実施形態を明瞭にするために、他の要素に対して誇張して示している場合がある。異なる図面における同じ参照符号は、同じ要素を示す。
【００２６】
明細書及び特許請求の範囲における「第１」、「第２」、「第３」、及び「第４」等の用語は、類似の要素を区別するために使用しており、必ずしも特定の順序又は時系列を示すものではない。このように使用される用語は、適切な状況下で交換可能であり、例えば、本明細書に記載する実施形態は、本明細書に図示し又は他の手法で記載している順序以外の順序で実行してもよいと理解されよう。更に、「含む」、「有する」及びこの活用形は、非排他的な包含を意図しており、要素のリストを備えるプロセス、方法、システム、物品、装置、又は機器は、必ずしもこれらの要素に限定されるものではなく、明示的に列挙されていない要素又はこのようなプロセス、方法、システム、物品、装置、又は機器に固有の他の要素を含むことができる。
【００２７】
明細書及び特許請求の範囲における「左」、「右」、「前」、「後」、「頂部」、「底部」、「上」、「下」等の用語は、説明を目的とし、必ずしも恒久的な相対位置を記述するものではない。これらの用語は、適切な状況下で交換可能であり、本明細書に記載する装置、方法、及び／又は物品の実施形態は、例えば、本明細書に例示又は記載した向きとは異なる向きで動作することができると理解されよう。
【発明を実施するための形態】
【００２８】
「連結」、「連結される」、「連結する」、「連結すること」等の用語は、広範に理解されるべきであり、２つ以上の要素を機械的におよび／または別の方法で接続することを指す。２つ以上の機械的要素は、電気的または他の方法で連結されずに、機械的に連結され得る。連結は、任意の長さの時間、例えば、永久もしくは半永久、または瞬間のみ、であってよい。
【００２９】
「機械的連結」などは広く解釈されるべきであり、あらゆる種類の機械的に連結を含む。
【００３０】
「連結」等の語の近くの「取り外し可能に」、「取り外し可能」等の語の欠如は、対象の該結合等が、取り外し可能であること、または取り外し可能でないことを意味するものではない。
【００３１】
いくつかの実施形態は、ゴルフクラブヘッドを有する。ゴルフクラブヘッドは、上端部および上端部の反対側にある底端部と、前端部および前端部の反対側にある後端部と、トゥ端部およびトゥ端部の反対側にあるヒール端部とを備える。さらに、ゴルフクラブヘッドは、フェース要素を備える。フェース要素は、前端部に位置するフェース面を備え、フェース面は、フェース中心およびフェース周縁部を備える。また、フェース要素は、後端部に位置し、フェース面とは略反対側にある後面を備え、後面は、フェース中心の略反対側にある後中心および後周縁部を備える。さらにまた、ゴルフクラブヘッドは、後面に位置する強化デバイスを備える。これらの実施形態では、ｘ軸は、フェース面に略平行に延在し、後中心を通過し、ｙ軸は、フェース面に略平行に延在し、ｘ軸に略垂直に延在し、後中心を通過し、ｚ軸は、フェース面に略垂直に延在し、ｘ軸とｙ軸に略垂直に延在し、後中心と交わる。さらに、ｘ軸は、トゥ端部およびヒール端部を通って、かつ上端部と底端部から等距離の位置で延在し、ｙ軸は、上端部および底端部を通って、かつトゥ端部とヒール端部から等距離の位置で延在し、ｚ軸は、前端部および後端部を通って、かつ（ｉ）トゥ端部とヒール端部から、および（ｉｉ）上端部と後端部から等距離の位置で延在する。さらにこれらの実施形態では、強化デバイスは、略ｚ軸上に位置する幾何学的中心を有する強化要素を備え、強化要素は、後面から後端部に向かうとともに前端部から離れるように延在し、強化要素は、ループ状リブを備える。一方、フェース面は、フェース周縁部の近位においてよりもフェース中心の近位において後面により近くなり得る。
【００３２】
他の実施形態は、ゴルフクラブヘッドを有する。いくつかの実施形態では、ゴルフクラブヘッドは、アイアンタイプのゴルフクラブヘッドを備える。ゴルフクラブヘッドは、上端部および上端部の反対側にある底端部と、前端部および前端部の反対側にある後端部と、トゥ端部およびトゥ端部の反対側にあるヒール端部とを備える。さらに、ゴルフクラブヘッドは、フェース要素を備える。フェース要素は、前端部に位置するフェース面を備え、フェース面は、フェース中心およびフェース周縁部を備える。また、フェース要素は、後端部に位置し、フェース面とは略反対側にある後面を備え、後面は、フェース中心の略反対側にある後中心および後周縁部を備える。さらにまた、ゴルフクラブヘッドは、後面に位置する強化デバイスを備える。そして、さらにまた、ゴルフクラブヘッドは、（ｉ）後面から後端部に向かうとともに前端部から離れるように延在し、（ｉｉ）後面の周縁部の周り全体に延在する周縁壁要素を備える。周縁壁要素は、上端部で後面の後周縁部に沿って延在する第１の周縁壁部、および、底端部で後面の後周縁部に沿って延在する第２の周縁壁部を備える。これらの実施形態では、ｘ軸は、フェース面に略平行に延在し、後中心を通過し、ｙ軸は、フェース面に略平行に延在し、ｘ軸に略垂直に延在し、後中心を通過し、ｚ軸は、フェース面に略垂直に延在し、ｘ軸とｙ軸に略垂直に延在し、後中心と交わる。さらに、ｘ軸は、トゥ端部およびヒール端部を通って、かつ上端部と底端部から等距離の位置で延在し、ｙ軸は、上端部および底端部を通って、かつトゥ端部とヒール端部から等距離の位置で延在し、ｚ軸は、前端部および後端部を通って、かつ（ｉ）トゥ端部とヒール端部との間、および（ｉｉ）上端部と後端部から等距離の位置で延在する。さらにこれらの実施形態では、強化デバイスは、略ｚ軸上に位置する幾何学的中心を備える強化要素を備え、強化要素は、後面から後端部に向かうとともに前端部から離れるように延在し、強化要素は、閉円形ループ状リブを備える。また、ゴルフクラブヘッドは、アイアンタイプのゴルフクラブヘッドを備え、フェース中心から後中心までの中心厚さが、およそ０．２０３センチメートル以下であり、第２の周縁壁部の少なくとも一部が、フェース周縁部に近位のフェース要素よりも薄い。
【００３３】
いくつかの実施形態は、さらに、ループ状リブによって形成される強化要素のキャビティの中を少なくとも部分的に充填するインサートを有する。いくつかの実施形態では、キャビティは、中心キャビティとすることができる。また、中心キャビティは、バッジによって部分的に覆われることができる。バッジは、インサートから分離していてもよく、インサートと一体をなしてもよい。他の実施形態では、バッジは、強化要素と一体をなすことができる。インサートは、約３ｇ未満の軽量の材料であることができ、ゴルフクラブヘッドのスイングの重心に著しく影響を及ぼさないようにし得る。代替実施形態では、インサートは、約５ｇ〜約１０ｇなど、約３ｇよりも大きい重量とすることができ、クラブヘッドのスイングウエイトまたは重心に寄与し得る。
【００３４】
さらなる実施形態は、雑音を減少させるため、より望ましい音を生み出すため、そして、ゴルフクラブヘッドの振動を減少させるために、ゴルフクラブヘッドの後面上に配設される振動減衰特徴部を有する。振動減衰特徴部は、制振フォイル、ゴム、もしくは感圧性粘弾性アクリルポリマーのような制振性もしくは振動除去性の他の材料もしくは組成で構成されることができる。振動減衰特徴部は、感圧性であり得、ゴルフボールが打撃されるとき、ゴルフクラブヘッドからの振動を減少もしくは除去をもたらす。振動減衰特徴部は、薄いフェースのゴルフクラブヘッドにおいて、よりよい性能を獲得することと組み合わさって、より望ましい音をゴルフクラブヘッドに与える。振動減衰特徴部は、ゴルフクラブヘッドの後面に少なくとも部分的に適用される。振動減衰特徴部は、また、強化要素に適用されることができる。振動減衰特徴部は、さらに、強化要素のキャビティの全てもしくは部分に適用され得る。キャビティは、中心キャビティとすることができる。後面の中心キャビティは、また、振動減衰特徴部によって部分的に覆われることができる。中心キャビティは、また、バッジによって部分的に覆われることができ、そして、振動減衰特徴部は、バッジの下に配設されることができる。
【００３５】
さらなる実施形態は、ゴルフクラブヘッドを提供する方法を含む。その方法は、（ｉ）前端部に位置し、フェース中心およびフェース周縁部を備えるフェース面と、（ｉｉ）後端部に位置し、フェース面とは略反対側にある後面であって、フェース中心の略反対側にある後中心、および後周縁部を備える後面と、を備えるフェース要素を提供することと、後面に強化デバイスを提供することと、を含むことができる。これらの実施形態では、ゴルフクラブヘッドが、上端部および上端部の反対側にある底端部と、前端部および前端部の反対側にある後端部と、トゥ端部およびトゥ端部の反対側にあるヒール端部とを備える。さらに、ｘ軸が、フェース面に略平行に延在し、後中心を通過し、ｙ軸が、フェース面に略平行に延在し、ｘ軸に略垂直に延在し、後中心を通過し、ｚ軸が、フェース面に略垂直に延在し、ｘ軸およびｙ軸に略垂直に延在し、後中心を通過する。さらにまた、ｘ軸が、トゥ端部およびヒール端部を通って、かつ上端部と底端部から等距離の位置で延在し、ｙ軸が、上端部および底端部を通って、かつトゥ端部とヒール端部から等距離の位置で延在し、ｚ軸が、前端部および後端部を通って、かつ（ｉ）トゥ端部とヒール端部から、および（ｉｉ）上端部と後端部から等距離の位置で延在する。一方、強化デバイスが、略ｚ軸上に位置する幾何学的中心を備える強化要素を備え、強化要素が、後面から後端部に向かうとともに前端部から離れるように延在し、強化要素が、ループ状リブを備える。また、フェース面が、フェース周縁部の近位においてよりもフェース中心の近位において後面により近くなり得る。
【００３６】
いくつかの実施形態は、ゴルフクラブを有する。ゴルフクラブは、シャフトと、シャフトに結合されたゴルフクラブヘッドとを備える。ゴルフクラブヘッドは、上端部および上端部の反対側にある底端部と、前端部および前端部の反対側にある後端部と、トゥ端部およびトゥ端部の反対側にあるヒール端部とを備える。さらに、ゴルフクラブヘッドは、フェース要素を備える。フェース要素は、前端部に位置し、フェース中心およびフェース周縁部を備えるフェース面を備える。また、フェース要素は、後端部に位置し、フェース面とは略反対側にある後面であって、フェース中心の略反対側にある後中心、および後周縁部を備える後面とを備える。さらにまた、ゴルフクラブヘッドは、後面に位置する強化デバイスを備える。これらの実施形態では、ｘ軸が、フェース面に略平行に延在し、後中心を通過し、ｙ軸が、フェース面に略平行に延在し、ｘ軸に略垂直に延在し、後中心を通過し、ｚ軸が、フェース面に略垂直に延在し、ｘ軸およびｙ軸に略垂直に延在し、後中心を通過する。さらに、ｘ軸が、トゥ端部およびヒール端部を通って、かつ上端部と底端部から等距離の位置で延在し、ｙ軸が、上端部および底端部を通って、かつトゥ端部とヒール端部から等距離の位置で延在し、ｚ軸が、前端部および後端部を通って、かつ（ｉ）トゥ端部とヒール端部から、および（ｉｉ）上端部と後端部から等距離の位置で延在する。さらにこれらの実施形態では、強化デバイスが、略ｚ軸上に位置する幾何学的中心を有する強化要素を備え、強化要素が、後面から外に後端部に向かうとともに前端部から離れるように延在し、強化要素が、ループ状リブを備える。一方、フェース面が、フェース周縁部の近位においてよりもフェース中心の近位において後面により近くなり得る。
【００３７】
図面に移ると、図１は、一実施形態によるクラブヘッド１００の上面、後面、トゥ側面図を示す。一方、図２は、図１の実施形態によるクラブヘッド１００の上面、正面、ヒール側面図を示す。クラブヘッド１００は、例示にすぎず、本明細書に提示する実施形態に限定されない。クラブヘッド１００は、本明細書で明確に図示または説明していない多くの異なる実施形態または例で用いられ得る。
【００３８】
一般に、クラブヘッド１００は、ゴルフクラブヘッドを備えることができる。ゴルフクラブヘッド１００は、対応するゴルフクラブの部分とすることができる。例えば、ゴルフクラブ１４００（図１４）は、シャフト１４９０およびグリップ１４９５に結合されたゴルフクラブヘッド１００を備えることができる。さらに、ゴルフクラブヘッドは、ゴルフクラブヘッドのセットの部分とすることができ、および／またはゴルフクラブは、ゴルフクラブのセットの部分とすることができる。例えば、クラブヘッド１００は、任意の適切なアイアンタイプのゴルフクラブヘッドを備えることができる。いくつかの実施形態では、クラブヘッド１００は、マッスルバックアイアンタイプのゴルフクラブヘッドまたはキャビティバックアイアンタイプのゴルフクラブヘッドを備えることができる。それにも関わらず、クラブヘッド１００については一般に、アイアンタイプのゴルフクラブヘッドに関して説明するが、クラブヘッド１００は、例えばウッドタイプのゴルフクラブヘッド（例えばドライバクラブヘッド、フェアウェイウッドクラブヘッド、ハイブリッドクラブヘッド等）や、パターゴルフクラブヘッドなどの、他のどんな適切なタイプのゴルフクラブヘッドを備えてもよい。一般に、クラブヘッド１００は、どんな適切な材料を含んでもよいが、多くの実施形態では、クラブヘッド１００は、１つまたは複数の金属材料を含む。前述の内容にも関わらず、本明細書で説明する装置、方法、および製品は、この点に関して限定されない。
【００３９】
参照のために示すと、クラブヘッド１００は、上端部１０１および上端部１０１の反対側にある底端部１０２、前端部２０３（図２）および前端部２０３（図２）の反対側にある後端部１０４、ならびにトゥ端部１０５およびトゥ端部１０５の反対側にあるヒール端部１０６を備える。また、クラブヘッド１００は、ｘ軸１０７、ｙ軸１０８、およびｚ軸１０９を備える。
【００４０】
一方、ｘ軸１０７、ｙ軸１０８、およびｚ軸１０９は、クラブヘッド１００のデカルト基準座標系を形成する。したがって、ｘ軸１０７、ｙ軸１０８、およびｚ軸１０９は、互いに垂直である。さらに、ｘ軸１０７は、トゥ端部１０５およびヒール端部１０６を通って延在し、上端部１０１と底端部１０２との間で等距離のところにあり、ｙ軸１０８は、上端部１０１および底端部１０２を通って延在し、トゥ端部１０５とヒール端部１０６との間で等距離のところにあり、ｚ軸１０９は、前端部２０３（図２）および後端部１０４を通って延在し、（ｉ）トゥ端部１０５とヒール端部１０６との間、および（ｉｉ）上端部１０１と後端部１０２との間で等距離のところにある。
【００４１】
実装の際には、クラブヘッド１００は、クラブヘッド本体１１０を備える。クラブヘッド本体１１０は、中実でもよく、中空でもよく、部分的に中空でもよい。クラブヘッド本体１１０が中空および／または部分的に中空のとき、クラブヘッド本体１１０は、シェル構造を備えることができ、さらに、シェル構造の材料とは異なる充填材料で充填および／または部分的に充填され得る。例えば、充填材料は、プラスチック発泡体を含むことができる。
【００４２】
クラブヘッド本体１１０は、フェース要素１１１および強化デバイス１１２を備える。多くの実施形態では、クラブヘッド本体１１０は、周縁壁要素１１３を備えることができる。
【００４３】
多くの実施形態では、フェース要素１１１は、フェース面２１４（図２）および後面１１５を備える。一方、フェース面２１４（図２）は、フェース中心２１６（図２）およびフェース周縁部２１７（図２）を備え、後面１１５は、後中心１１８および後周縁部１１９を備える。フェース面２１４（図２）とは、クラブヘッド１００の打撃フェースまたは打撃プレートのことを指すことができ、例えばゴルフボールなどのボール（図示せず）をインパクトするように構成され得る。多くの実施形態では、フェース面２１４（図２）は、１つまたは複数のスコアリングライン２２３（図２）を備えることができる。
【００４４】
これらまたは他の実施形態では、フェース面２１４（図２）は前端部２０３（図２）に位置することができ、後面１１５は、後端部１０４に位置することができる。さらに、後面１１５は、フェース面２１４（図２）とは略反対側にあることができ、後中心１１８は、フェース中心２１６（図２）の略反対側にあることができ、後周縁部１１９は、フェース周縁部２１７（図２）の略反対側にあることができる。一般に、多くの例では、フェース中心２１６（図２）とは、フェース面２１４（図２）の幾何学的中心のことを指すことができる。したがって、これらまたは他の例では、フェース中心２１６（図２）とは、フェース面２１４（図２）における、トゥ端部１０５とヒール端部１０６との間で略等距離のところにあり、さらに上端部１０１と底端部１０２との間で略等距離のところにある位置のことを指すことができる。さまざまな例では、フェース中心とは、参照により本明細書に組み込まれる、Ｕｎｉｔｅｄ  Ｓｔａｔｅｓ  Ｇｏｌｆ  Ａｓｓｏｃｉａｔｉｏｎ：Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ、ＵＳＧＡ−ＴＰＸ３００４、改訂版１．０．０、６ページ、２００８年５月１日（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｔｅｓｔ−Ｐｒｏｔｏｃｏｌｓ−Ｆｏｒ−Ｅｑｕｉｐｍｅｎｔから２０１４年５月１２日に取得）で定義されるフェース中心のことを指すことができる。同様に、いくつかの例では、後中心１１８とは、後面１１５の幾何学的中心のことを指すことができる。
【００４５】
参照として示すと、ｘ軸１０７およびｙ軸１０８は、フェース面２１４（図２）に略平行に延在することができ、ｚ軸１０９は、フェース面２１４（図２）に略垂直に延在することができる。一方、ｘ軸１０７、ｙ軸１０８、およびｚ軸１０９の各々は、後中心１１８がｘ軸１０７、ｙ軸１０８、およびｚ軸１０９によって形成されるデカルト基準座標系の原点を備えるように、後中心１１８と交わることができる。
【００４６】
さまざまな実施形態では、スコアリングライン２２３（図２）がそれぞれ、１つまたは複数の溝を備えることができ、トゥ端部１０５とヒール端部１０６との間で延在することができる。これらまたは他の実施形態では、スコアリングライン２２３（図２）は、ｘ軸１０７に略平行とすることができる。
【００４７】
多くの実施形態では、強化デバイス１１２が、１つまたは複数の強化要素１２０（例えば強化要素１２１）を備える。強化デバイス１１２および／または強化要素１２０は、後面１１５に位置し、後面１１５から外に後端部１０４に向かって、かつ前端部２０３（図２）から離れて延在する。多くの実施形態では、強化要素１２０の各強化要素が、外周縁面および幾何学的中心を備える。これらまたは他の実施形態では、強化要素１２０のうちの１つまたは複数（例えば強化要素１２１）の幾何学的中心は、略ｚ軸１０９のところに位置することができる。例えば、強化要素１２１は、外周縁面１２６および幾何学的中心１３０を備えることができる。
【００４８】
強化デバイス１１２および強化要素１２０は、例えば、フェース面２１４（図２）がボール（例えばゴルフボール）をインパクトするときなどに、フェース要素１１１が屈曲するのを可能にしながら、フェース要素１１１を強化するように構成される。その結果、フェース要素１１１は、薄化されて、フェース要素１１１からの質量がクラブヘッドの他の部分に再分配されることが可能になっても、またフェース要素１１１がより可撓性になっても、結果として生じる屈曲下で座屈および破損し得ない。有利には、フェース要素１１１は、強化デバイス１１２および強化要素１２０を伴って実装されるときのほうが、強化デバイス１１２および強化要素１２０を伴わずに実装されるときよりも薄くできるので、クラブヘッド１００の重心、慣性モーメント、および反発係数が、クラブヘッド１００の性能特性を向上させるように変更され得る。例えば、強化デバイス１１２および強化要素１２０を実装すると、ゴルフボールの発射角を（例えばおよそ１０分の１度〜１０分の３度）増大させることによって、フェース面２１４（図２）で打ったゴルフボールの飛行距離が増大し得、ゴルフボールのボール速度が（例えばおよそ０．１マイル毎時（ｍｐｈ）（０．１６１キロメートル毎時（ｋｐｈ）〜およそ３．０ｍｐｈ（４．８３ｋｐｈ））増大し得、および／またはゴルフボールのスピンが（例えばおよそ１〜５００回転毎分）低減する。これらの例では、強化デバイス１１２および強化要素１２０が、フェース面２１４（図２）によって与えられるゴルフボールに対するギアリング（ｇｅａｒｉｎｇ）をいくらか打ち消す効果を有することができる。
【００４９】
ゴルフクラブヘッド１００の一実施形態を備えるゴルフクラブのテストを実施した。全体的に、標準の強化型打撃フェースおよびカスタムチューニングポート付きのアイアンゴルフクラブと比較したとき、テストでは、ｘ軸および／またはｙ軸の周りの慣性モーメントがより高いこと、ならびにゴルフボールがゴルフクラブヘッドのフェースに衝突する統計面積がより狭いことによって示されるように、寛容性がより大きいことが示された。いくつかのテストでは、ｘ軸の周りの慣性モーメントがおよそ２％増大し、ｙ軸の周りの慣性モーメントがおよそ４％増大し、および／またはゴルフボールがゴルフクラブヘッドのフェースに衝突する統計面積が、およそ１５〜５０パーセント減少した。加えて、ゴルフボールのボール速度の増大、ゴルフボールの発射角の上昇、および／またはゴルフボールのスピンの低減が見られた。一例として、５番アイアンゴルフクラブ上でゴルフクラブ１００の一実施形態のテストをした際、ゴルフボールのボール速度が、およそ１．５ｍｐｈ（２．４１ｋｐｈ）増大し、ゴルフボールの発射角が、およそ０．３度上昇し、ゴルフボールのスピンが、およそ２５０回転毎分（ｒｐｍ）低減したことが見られた。別の例では、７番アイアンゴルフクラブ上でゴルフクラブ１００の一実施形態のテストをした際、ゴルフボールのボール速度が、およそ２．０ｍｐｈ（３．２２ｋｐｈ）増大し、ゴルフボールの発射角の度数に、ほぼ変化がなく、ゴルフボールのスピンが、およそ４５０ｒｐｍ低減したことが見られた。さらなる例として、ウェッジアイアンゴルフクラブ上でゴルフクラブ１００の一実施形態のテストをした際、ゴルフボールのボール速度に、ほぼ速度変化がなく、ゴルフボールの発射角が、およそ０．１度上昇し、ゴルフボールのスピンが、およそ２００ｒｐｍ低減したことが見られた。
【００５０】
とりわけ、多くの例では、フェース要素１１１がスコアリングライン２２３（図２）を備え、かつフェース要素１１１が強化デバイス１１２および強化要素１２０を実装せずに薄化されるとき、図３および図４に示し、図３および図４に関して以下の通り説明するように、フェース要素１１１の座屈および破損が、特にフェース中心２１６（図２）に近位のスコアリングライン２２３（図２）において、スコアリングライン２２３の底部で発生するおそれがある。
【００５１】
強化デバイス１１２を有するクラブヘッド１００は、前端部２０３から底端部１０２にかけて延在する均一な移行厚さ（ｔｒａｎｓｉｔｉｏｎ  ｔｈｉｃｋｎｅｓｓ）５５０（図５）も有することができる。均一な移行厚さ５５０は、強化デバイス１１２を有するクラブヘッド１００の、前端部２０３と底端部１０２との間の領域に向けられた応力を吸収する。均一な移行厚さ５５０は、およそ０．２０〜０．８０インチの範囲とすることができる。例えば、均一な移行厚さ５５０は、およそ０．２０、０．２５、０．３０、０．３５  ０．４０、０．４５、０．５０、０．５５、０．６０、０．６５、０．７０、０．７５、または０．８０インチとすることができる。
【００５２】
具体的には、図面を先に進むと、図３は、一実施形態による従来型のクラブヘッド３００を示す。クラブヘッド３００は、クラブヘッド１００（図１および図２）に類似し得るが、クラブヘッド１００とは異なり、クラブヘッド３００には、クラブヘッド３００のフェース要素３１１の後面３１５に強化デバイスおよび強化要素がない。クラブヘッド３００は、クラブヘッド３００のフェース面３１４に１つまたは複数のスコアリングライン３２３を備える。後面３１５は、後面１１５（図１）に類似し得、フェース要素３１１は、フェース要素１１１（図１）に類似していてもよく、それと同一でもよく、フェース面３１４は、フェース面２１４（図２）に類似していてもよく、それと同一でもよく、および／またはスコアリングライン３２３は、スコアリングライン２２３（図２）に類似していてもよく、それと同一でもよい。さらに、不在の強化デバイスは、強化デバイス１１２（図１）に類似し得、不在の強化要素は、強化要素１２０（図１）に類似し得る。一方、図４は、図３の実施形態による、クラブヘッド３００の図３の切断線４−４に沿った部分断面図の、クラブヘッド３００のフェース面３１４がゴルフボール（図示せず）をインパクトしているところをシミュレーションし、その際、結果として生じる屈曲が３倍になっている、応力歪み解析の様子を示す。
【００５３】
図４で実証されるように、フェース要素３１１は、支持ばりに類似した振舞いをし、したがって中立軸４３６を備える。フェース要素３１１のフェース面３１４と中立軸４３６との間の部分は、圧縮状態にあり、フェース要素３１１の中立軸４３６と後面３１５との間の部分は、引張状態にある。応力はまず、フェース面３１４および後面３１５で増し、中立軸４３６に向かって内側に移動する。しかし、支持ばりとは異なり、フェース要素３１１は、フェース要素３１１の圧縮状態にある部分にスコアリングライン３２３も備えている。フェース要素３１１が過度に屈曲すると、スコアリングライン３２３の底部におけるフェース要素３１１の機械的降伏に達するおそれがある。スコアリングライン３２３がなければ、フェース要素３１１は通常、まずフェース要素３１１の引張りを受けている部分内で破損するものと予測されるが、スコアリングライン３２３が、まずフェース要素３１１の圧縮状態にある部分で破損を発生させる。すなわち、フェース要素３１１がスコアリングライン３２３のところで破損してから、フェース要素３１１の残りの部分が、破損を生じさせるのに十分高い応力レベルに達する可能性がある。アイアンタイプのクラブヘッドは、スコアリングライン３２３のところで破損をより被りやすいことがある。というのも、アイアンタイプのクラブヘッドは、フェース面３１４で凸状になっている傾向のあるウッドタイプのゴルフクラブヘッドとは異なり、フェース面３１４で平坦になっている傾向があるためである。その結果、ウッドタイプのゴルフクラブヘッドがフェース面３１４で屈曲しても、フェース面３１４は依然として、いくらか外側に湾曲していることがある。その一方で、アイアンタイプのゴルフクラブヘッドがフェース面３１４で屈曲すると、フェース面３１４が凹形状に屈曲し、それが、フェース要素３１１の圧縮を受けている部分での圧縮の程度を増大させることがある。
【００５４】
ここで図１および図２に戻ると、強化デバイス１１２および強化要素１２０を実装すると、スコアリングライン２２３（図２）内の、特にスコアリングライン２２３のうちのフェース中心２１６（図２）に近位のスコアリングライン内の、局所的な屈曲が強化されるととともに、フェース要素１１１内の全体的な屈曲の増大が可能になり得る。強化デバイス１１２および強化要素１２０は、これらの利益を、フェース要素１１１の局所的な厚さを増大させ、それにより、フェース要素１１１がそれらの位置においてより剛性（ｓｔｉｆｆｅｒ）に、かつより硬く（ｈａｒｄｅｒ）なることによって、もたらすことが可能である。実際、強化デバイス１１２および強化要素１２０は、フェース要素１１１の中立軸をフェース面２１４（図２）から引き離し、後面１１５のより近くに引き寄せる働きをすることができる。
【００５５】
一方、強化デバイス１１２および強化要素１２０はさらに、これらの利益を、閉構造（例えば１つまたは複数のループ状リブ）として実装されるときにもたらすことが可能である。というのも、そのような閉構造にすると、周方向（すなわちフープ）応力が強化デバイス１１２および強化要素１２０に作用する結果として、変形に耐えることが可能なためである。例えば、強化デバイス１１２および強化要素１２０に作用する周方向（すなわちフープ）応力は、強化デバイス１１２および強化要素１２０の対向する側が、互いから離れて回転するのを防止し、それにより屈曲が減少し得る。
【００５６】
さらに、強化デバイス１１２および強化要素１２０は、インパクト時におけるクラブヘッド１００に対する応力の実質的部分を吸収し、それにより、応力が、インパクト時に、フェース要素１１１、フェース面２１４、および後面１１５などのクラブヘッド１００の他の部分によって吸収されないようにする。応力を、強化デバイス１１２および強化要素１２０の方向に導くことは、強化デバイスおよび強化要素を欠くクラブヘッド３００と比較して、または強化要素１２０のない、もしくは少ない強化デバイス１１２を有するクラブヘッドと比較して、フェース要素１１１およびクラブヘッド１００の耐久性を向上させる。
【００５７】
実装の際には、強化要素１２０（例えば強化要素１２１）は、上述した強化デバイス１１２および／または強化要素１２０の所期の機能を実施するように構成された、任意の適切な形状（例えば多角形、楕円形、円形等）および／または任意の適切な構成で実装され得る。さらに、強化要素１２０が複数の強化要素を備えるとき、強化要素１２０のうちの２つ以上の強化要素が、別のものに類似し得、および／または強化要素１２０のうちの２つ以上の強化要素が、別のものとは異なり得る。
【００５８】
いくつかの実施形態では、強化要素１２０（例えば強化要素１２１）は、ｘ軸１０７および／またはｙ軸１０８の周りで対称とすることができる。強化要素１２０（例えば強化要素１２１）が横長形状で実装される場合、多くの実施形態では、強化要素の最大寸法（例えば長軸）が、ｘ軸１０７またはｙ軸１０８のうちの一方と平行および／または共線とすることができる。しかし、他の実施形態では、最大寸法（例えば長軸）は、所望の通りにｘ軸１０７および／またはｙ軸１０８に対して角度付けされ得る。さらに、多くの実施形態では、強化要素１２０（例えば強化要素１２１）は、ｚ軸１０９に中心が置かれ得るが、いくつかの実施形態では、強化要素１２０のうちの１つまたは複数（例えば強化要素１２１）が、例えば、上端部１０１、底端部１０２、トゥ端部１０５、およびヒール端部１０６のうちの１つまたは２つのほうに偏在されるなど、ｚ軸１０９の中心から外れて偏在され得る。
【００５９】
多くの実施形態では、強化要素１２０の各強化要素（例えば強化要素１２１）は、１つまたは複数のループ状リブ１２７（例えばループ状リブ１２２）を備えることができる。具体的には、強化要素１２１は、ループ状リブ１２２を備えることができる。これらまたは他の実施形態では、ループ状リブ１２７が複数のループ状リブを備える場合、ループ状リブ１２７は、ある点および／または軸（例えばｚ軸１０９）の周りで互いに同心とすることができる。他の実施形態では、ループ状リブ１２７が複数のループ状リブを備える場合、ループ状リブ１２７のうちの２つ以上を非同心とすることができる。さらに、これらまたは他の実施形態では、ループ状リブ１２７のうちの２つ以上がオーバーラップすることができる。一方、これらの実施形態では、ループ状リブ１２２は楕円形ループ状リブを備えることができ、これらの実施形態のいくつかでは、ループ状リブ１２２は円形ループ状リブを備えることができる。上記したように、強化要素１２０をループ状リブ１２７として実装すると、ループ状リブ１２７の閉構造によってもたらされる周方向（例えばフープ）応力のため、有利となり得る。多くの実施形態では、ループ状リブ１２７のうちの１つもしくは複数（またはループ状リブ１２７の各々）が、連続した閉ループである。
【００６０】
これらまたは他の実施形態では、ループ状リブ１２７の各ループ状リブは、外周縁面および内周縁面を備える。一方、これらの実施形態では、各強化要素（例えば強化要素１２１）の外周縁面は、その強化要素に対応するループ状リブ（例えばループ状リブ１２２）の外周縁面を備える。例えば、ループ状リブ１２２は、外周縁面１２８および内周縁面１２９を備えることができる。さらに、内周縁面１２９は、急峻かつリブ高さ５４０（図１３）のところで後面に対して実質的に直交とすることができる。
【００６１】
いくつかの実施形態では、強化要素１２０の１つまたは複数の外周縁面（例えば強化要素１２１の外周縁面１２６）が、後面１１５に対してすみ肉付けされ得る。これらまたは他の実施形態では、ループ状リブ１２７の１つまたは複数の内周縁面（例えばループ状リブ１２２の内周縁面１２９）が、後面１１５に対してすみ肉付けされ得る。強化要素１２０の外周縁面（例えば強化要素１２１の外周縁面１２６）を後面１１５に対してすみ肉付けすると、強化要素１２０（例えば強化要素１２１の外周縁面１２６）の後面１１５への平滑な移行が可能になり得る。さらに、後面１１５に対して強化要素１２０の外周縁面（例えば、強化要素１２１の外周縁面１２６）にすみ肉付けすることは、インパクトからの応力を、強化要素１２０に向けるとともに、フェース面２１４から離れるようにすることができる。一方、強化要素の外周縁面（例えば、強化要素１２１の外周縁面１２６）、またはループ状リブ１２７の内周縁面（例えば、ループ状リブ１２２の内周縁面１２９）は、およそ０．０１２センチメートル以上の半径を有するすみ肉１１７を用いて後面１１５に対してすみ肉付けされ得る。例えば、いくつかの実施形態では、後面１１５に対する外周縁面１２６のすみ肉１１７は、およそ０．０１２センチメートルからおよそ２．０センチメートル、およそ０．５０センチメートルからおよそ３．０センチメートル、またはおよそ１．０センチメートルからおよそ４．０センチメートルの範囲とすることができる。さらなる例の場合、いくつかの実施形態では、後面１１５に対する内周縁面１２９のすみ肉１１７は、およそ０．０１２センチメートルからおよそ２．０センチメートル、およそ０．５０センチメートルからおよそ３．０センチメートル、またはおよそ１．０センチメートルからおよそ４．０センチメートルの範囲とすることができる。
【００６２】
いくつかの実施形態では、強化要素の外周縁面は、後面１１５に対して直接すみ肉付けされ得る。これらの実施形態においては、フェース厚さは、リブ高さ５４０におけるフェース厚さから、後面１１５におけるフェース厚さへとすみ肉１１７に沿って徐々に減少する。
【００６３】
いくつかの実施形態では、クラブヘッド１００は、クラブヘッド１００の後面１１５上にリップ部５５２をさらに含むことができる。図１５〜図１７を参照すると、示された実施形態においては、リップ部５５２が、クラブヘッド１００の強化要素１２０の周りで、ヒール端部１０６からトゥ端部１０５へと延在している。これらまたは他の実施形態では、強化要素１２０の外周縁面上のすみ肉１１７は、リップ部５５２へと移行することができ、したがって、フェース厚さは、リブ高さ５４０におけるフェース厚さから最小の厚さ５４４へとすみ肉１１７に沿って徐々に減少し、次いで、最小の厚さ５４４からリップ部高さ５５４におけるフェース厚さへと徐々に増加する。これらの実施形態では、強化要素１２０とリップ部５５２の間の最小の厚さ５４４は、中心厚さ５３７よりも大きくすることができ、強化要素１２０とリップ部５５２の間の最小厚さ５４４は、中心厚さ５３７に略等しくすることができ、または強化要素１２０とリップ部５５２の間の最小厚さ５４４は、中心厚さ５３７未満にすることができる。図１５〜図１６で示された実施形態では、強化要素１２０とリップ部５５２の間の最小厚さ５４４は、中心厚さ５３７よりも大きい。図１７で示された実施形態では、強化要素１２０とリップ部５５２の間の最小厚さ５４４は、中心厚さ５３７に略等しい。
【００６４】
多くの実施形態では、強化要素１２０とリップ部５５２の間の最小厚さ５４４は、フェースプレートの屈曲およびボール速度に対応する。強化要素１２０とリップ部５５２の間の最小厚さ５４４が減少するにつれて、強化要素１２０の外周縁面がゴルフボールとのインパクト中にさらに屈曲し得る。インパクト時における強化要素１２０の外周縁面の増加した屈曲により、フェースプレートのたわみを増加させて、ゴルフボールへのエネルギー伝達を増加させ、かつボール速度を増加させることができる。例えば、中心厚さ５３７に略等しい強化要素１２０とリップ部５５２の間の最小厚さ５４４を有する図１７で示されたゴルフクラブヘッド１００は、中心厚さ５３７よりも大きい強化要素１２０とリップ部５５２の間の最小厚さ５４４を有する図１５〜図１６で示されたクラブヘッド１００よりも最高で１マイル毎時（ｍｐｈ）速いボール速度を生ずる。
【００６５】
いくつかの実施形態では、強化要素１２１がループ状リブ１２２を備える場合、ループ状リブ１２２はキャビティ１３１を備えることができる。他の実施形態では、強化要素１２１がループ状リブ１２２を備えるとき、ループ状リブ１２２はキャビティ１３１を備えていない。キャビティ１３１を伴わない実施形態では、中心厚さ５３７（図５および図１３）は、キャビティ１３１を伴う実施形態においてよりも大きくすることができ、フェース面２１４（図２）からループ状リブ１２２の遠位端まで測定され得る（例えば中心厚さ５３７（図５）とリブ高さ５４２（図５）を合わせた距離とすることができる）、リブ高さ５４２（図５および図１３）のところのフェース厚さ以下とすることができる。キャビティ１３１は、内周縁面１２９と後面１１５とによって画定される。いくつかの実施形態では、キャビティ１３１は、中心キャビティとすることができる。多くの実施形態では、キャビティ１３１には、例えば加重インサート（ｗｅｉｇｈｔｅｄ  ｉｎｓｅｒｔ）などのどんな内容物も無しとすることができる。他の実施形態では、キャビティ１３１は、図８および図９に示すように、インサート８０５を収容することができる。
【００６６】
上記でいくらか詳細に論じたように、強化デバイス１１２および強化要素１２０を実装することによって、フェース面２１４（図２）は、フェース周縁部２１７（図２）の近位で（例えばフェース周縁部２１７で）よりもフェース中心２１６（図２）の近位で（例えばフェース中心２１６で）、後面１１５により近く（すなわちより薄く）なり得る。いくつかの実施形態では、フェース面２１４（図２）の、フェース中心２１６（図２）に近位の部分とは、フェース面２１４の表面積の、フェース中心２１６（図２）と境界を接し、かつフェース面２１４の総表面積のおよそ１パーセント、２パーセント、３パーセント、５パーセント、１０パーセント、または２０パーセントを表す部分のことを指すことができる。これらまたは他の実施形態では、フェース面２１４（図２）の表面積のその部分は、後フェース１１５の表面積の、強化要素１２１によって覆われる部分に対応することができる。一方、いくつかの実施形態では、フェース面２１４（図２）の、フェース周縁部２１７（図２）に近位の部分とは、フェース面２１４の、フェース周縁部２１７と、フェース周縁部２１７（図２）からおよそ０．１０センチメートル、０．２０センチメートル、０．２５センチメートル、０．５０センチメートル、１．００センチメートル、または２．００センチメートルのところに位置する挿入された境界とによって囲まれる領域のことを指すことができる。
【００６７】
図面を少しの間先に進むと、図５および図１３は、図１の実施形態によるクラブヘッド１００の図２の切断線５−５に沿った断面図を示す。クラブヘッド１００は、中心厚さ５３７を備えることができる。中心厚さ５３７とは、フェース中心２１６（図２）から後中心１１８（図１）までの距離のことを指すことができる。多くの実施形態では、中心厚さ５３７は、およそ０．１５０ｃｍ〜およそ０．３００ｃｍとすることができる。いくつかの実施形態では、中心厚さ５３７は、０．３００ｃｍ未満、０．２５５ｃｍ未満、０．２５０ｃｍ未満、０．２０５ｃｍ未満、０．２００ｃｍ未満、または０．１５５ｃｍ未満とすることができる。いくつかの実施形態では、強化要素１２０の中心が少なくとも部分的に埋められ得る。例えば、強化要素１２０の中心は、制振材料もしくは振動減衰特徴部（例えばインサート８０５（図８））、または他の材料で埋められ得る。多くの実施形態では、中心厚さ５３７は、リブ高さ５４０におけるフェース厚さよりも薄くすることができる。他の実施形態では、中心厚さ５３７は、リブ高さ５４０におけるフェース厚さにほぼ等しくすることができる。リブ高さ５４０におけるフェース厚さは、リブ高さ５４０を中心厚さ５３７に加えたものであってもよい。多くの実施形態では、強化要素１２０の外側のフェース厚さ５４２は、中心厚さ５３７よりも厚いが、リブ高さ５４０におけるフェース厚さよりも薄くすることができる。他の実施形態では、フェース厚さ５４２は、中心厚さ５３７と同じであってもよい。
【００６８】
いくつかの実施形態では、リブ高さ５４０におけるフェース厚さは、およそ０．３０ｃｍからおよそ０．７０ｃｍとすることができる。いくつかの実施形態では、リブ高さ５４０におけるフェース厚さは、およそ０．３０ｃｍからおよそ０．５０ｃｍとすることができる。いくつかの実施形態では、リブ高さ５４０におけるフェース厚さは、およそ０．４０ｃｍからおよそ０．６０ｃｍとすることができる。いくつかの実施形態では、リブ高さ５４０におけるフェース厚さは、およそ０．５０ｃｍからおよそ０．７０ｃｍとすることができる。いくつかの実施形態では、リブ高さ５４０におけるフェース厚さは、０．３０ｃｍより大きく、０．４０ｃｍより大きく、０．５０より大きく、または０．６０ｃｍより大きくすることができる。
【００６９】
いくつかの実施形態では、強化要素１２０の外側のフェース厚さ５４２は変化することができる。図１５〜図１６は、上部厚さ５４６を有する、強化要素１２０の外側のフェースプレートの上部５４５と、底部厚さ５４８を有する、強化要素１２０の外側のフェースプレートの底部５４７とを示している。いくつかの実施形態では、上部厚さ５４６は、底部厚さ５４８と同じであってもよい（図５および図１３）。これらの実施形態では、中心厚さ５３７は、上部厚さ５４６および底部厚さ５４８よりも薄くすることができ、また上部厚さ５４６および底部厚さ５４８は、リブ高さ５４０におけるフェース厚さよりも薄くすることができる。いくつかの実施形態では、上部厚さ５４６は、底部厚さ５４８と異なっていてもよい（図１５〜図１６）。例えば、いくつかの実施形態では、中心厚さ５３７は、上部厚さ５４６よりも薄くすることができ、上部厚さ５４６は、底部厚さ５４８よりも薄くすることができ、また底部厚さ５４８は、リブ高さ５４０におけるフェース厚さよりも薄くすることができる。さらなる例に関して、いくつかの実施形態では、上部厚さ５４６は、中心厚さ５３７よりも薄くすることができ、中心厚さ５３７は、底部厚さ５４８よりも薄くすることができ、また底部厚さ５４８は、リブ高さ５４０におけるフェース厚さ５４０よりも薄くすることができる。
【００７０】
多くの実施形態では、強化要素１２０の外側のフェース厚さ５４２は、およそ０．１５０ｃｍからおよそ０．３００ｃｍとすることができる。いくつかの実施形態では、強化要素１２０の外側のフェース厚さ５４２は、０．３００ｃｍ未満、０．２５５ｃｍ未満、０．２５０ｃｍ未満、０．２０５ｃｍ未満、０．２００ｃｍ未満、または０．１５５ｃｍ未満とすることができる。多くの実施形態では、上部厚さ５４６は、およそ０．１５０ｃｍからおよそ０．３００ｃｍとすることができる。いくつかの実施形態では、上部厚さ５４６は、０．３００ｃｍ未満、０．２５５ｃｍ未満、０．２５０ｃｍ未満、０．２０５ｃｍ未満、０．２００ｃｍ未満、または０．１５５ｃｍ未満とすることができる。多くの実施形態では、底部厚さ５４８は、およそ０．１５０ｃｍからおよそ０．３００ｃｍとすることができる。いくつかの実施形態では、底部厚さ５４８は、０．３００ｃｍ未満、０．２５５ｃｍ未満、０．２５０ｃｍ未満、０．２０５ｃｍ未満、０．２００ｃｍ未満、または０．１５５ｃｍ未満とすることができる。
【００７１】
多くの実施形態では、支持するための裏当て材料を必要とすることなく（例えば、フェースプレートの後部に位置するエラストマーなどの充填材料を使用することなく）、強化要素１２０の外側のフェース厚さ５４２は、およそ０．１５０ｃｍからおよそ０．３００ｃｍとすることができ、また中心厚さ５３７は、およそ０．１５０ｃｍからおよそ０．３００ｃｍとすることができる。例えば、強化要素１２０の外側のフェース厚さ５４２は、強化要素１２０の外側のフェース厚さ５４２の後部に位置するエラストマーまたは他の可撓性材料を有することなく、およそ０．１５０ｃｍからおよそ０．３００ｃｍとすることができる。他の例の場合、中心厚さ５３７は、フェース中心厚さ５３７の後部に位置するエラストマーまたは他の可撓性材料を有することなく、およそ０．１５０ｃｍからおよそ０．３００ｃｍとすることができる。
【００７２】
通常、ゴルフクラブヘッドのフェースプレートは、個々のスイング速度要件に対して（例えば、フェースプレート厚さを低減することにより）ボール速度を最大化するように設計される。一般に、クラブヘッドを用いたインパクト時の力は、スイング速度とともに減少するので、フェースプレート厚さは（例えば、男子のゴルフクラブヘッドに比較して女子のゴルフクラブヘッドの場合）、低いスイング速度の耐久性要件に伴い減少させることができる。例えば、低いスイング速度の耐久性要件を有するクラブヘッドは、より高いスイング速度の耐久性要件を有するクラブヘッドと比較して、低い中心厚さ５３７、リブ高さ５４０における低いフェース厚さ、低い上部厚さ５４６、低い底部厚さ５４８、または上記で述べた厚さ低減の任意の組合せを有することができる。いくつかの実施形態では、中心厚さ５３７は、およそ０．１５０ｃｍからおよそ０．２５０ｃｍとすることができ、上部厚さ５４６は、およそ０．１５０ｃｍからおよそ０．２５０ｃｍとすることができ、また底部厚さ５４８は、およそ０．１５０ｃｍからおよそ０．２５０ｃｍとすることができて、クラブヘッド１００が、１００マイル毎時（ｍｐｈ）（１６０．９キロメートル毎時、ｋｐｈ）未満、９０ｍｐｈ（１４４．８ｋｐｈ）未満、８０ｍｐｈ（１２８．７ｋｐｈ）未満、７０ｍｐｈ（１１２．６ｋｐｈ）未満、または、６０ｍｐｈ（９６．６ｋｐｈ）未満のスイング速度に耐えることを可能にする。いくつかの実施形態では、中心厚さ５３７は、およそ０．２００ｃｍからおよそ０．３００ｃｍとすることができ、上部厚さ５４６は、およそ０．２００ｃｍからおよそ０．３００ｃｍとすることができ、また底部厚さ５４８は、およそ０．２００ｃｍからおよそ０．３００ｃｍとすることができて、クラブヘッド１００が、１３０ｍｐｈ（２０９．２ｋｐｈ）未満、１２０ｍｐｈ（１９３．１ｋｐｈ）未満、１１０ｍｐｈ（１７７．０ｋｐｈ）未満、１００ｍｐｈ（１６０．９ｋｐｈ）未満、または、９０ｍｐｈ（１４４．８ｋｐｈ）未満のスイング速度に耐えることを可能にする。
【００７３】
多くの実施形態では、スコアリングライン２２３は、およそ０．０３０ｃｍからおよそ０．０６０ｃｍの深さを有することができる。いくつかの実施形態では、スコアリングライン２２３は、０．０６０ｃｍ未満、０．０５５ｃｍ未満、０．０５０ｃｍ未満、０．０４５ｃｍ未満、０．０４０ｃｍ未満、または０．０３５ｃｍ未満の深さを有することができる。例えば、図１５〜図１６で示された実施形態では、スコアリングライン２２３は、およそ０．０４６ｃｍの深さを有する。本明細書で述べられる場合、中心厚さ５３７、強化要素１２０の外側のフェース厚さ５４２、上部厚さ５４６、および底部厚さ５４８に対する測定は、スコアリングラインのないフェースプレートの領域で行われる。したがって、スコアリングライン２２３内で測定されたフェースプレート厚さは、フェースプレートの同じ領域内のスコアリングライン２２３の外側で、またはスコアリングライン２２３の隣で測定された関連するフェースプレート厚さよりも、（スコアリングラインの深さによって）低くなる。
【００７４】
いくつかの実施形態では、リブの幅が、ループ状リブ１２２（図１）全体にわたって変化することができ、いくつかの実施形態では、ループ状リブ１２２（図１）および／または内周縁面１２９（図１）が、最大リブスパン５３８を備えることができる。最大リブスパン５３８とは、内周縁面１２９（図１）の一方の側から向かいの内周縁面１２９（図１）の対向する側までの、後面１１５（図１）と平行に測定される最大距離のことを指すことができる。したがって、ループ状リブ１２２（図１）が楕円形ループ状リブを備えるとき、最大リブスパン５３８とは、内周縁面１２９（図１）の長軸のことを指すことができる。さらに、ループ状リブ１２２（図１）が円形ループ状リブを備えるとき、最大リブスパン５３８とは、内周縁面１２９（図１）の直径のことを指すことができる。とりわけ、多くの実施形態では、最大リブスパン５３８は、内周縁面１２９（図１）の中点で測定され得る。
【００７５】
いくつかの実施形態では、最大リブスパン５３８は、およそ０．６０９ｃｍ〜およそ１．８８ｃｍとすることができる。いくつかの実施形態では、最大リブスパン５３８は、およそ１．０ｃｍとすることができる。いくつかの実施形態では、最大スパン５３８があまりにも大きすぎる（例えばおよそ１．８８センチメートルよりも大きい）場合、ループ状リブ１２２（図１）は、フェース中心２１６（図２）に最も近いスコアリングライン２２３（図２）を強化するのに不十分となり得る。一方、これらまたは他の実施形態では、最大スパン５３８があまりにも小さい（例えばおよそ０．６０９センチメートル未満である）場合、ループ状リブ１２２は、フェース周縁部２１７（図２）に最も近いスコアリングライン２２３（図２）を強化するのに不十分となり得る。一般に、最大リブスパン５３８に対するこれらの上限および下限は、フェース要素１１１（図１）のサイズの関数となり得る。いくつかの実施形態では、例えば図６に示すように、２つ以上のリブ６２１および６４１が存在し得る。この場合、大きいほうのリブスパンまたはリブ６４１（図６）の内径もしくは外径は、１．８８センチメートルよりも大きいとすることができ、小さいほうのリブスパンまたはリブ６２１（図６）の内径もしくは外径は、０．６０９センチメートル未満とすることができる。
【００７６】
さらに、ループ状リブ１２２（図１）は、リブ厚さ５３９を備えることができる。リブ厚さ５３９とは、ループ状リブ１２２（図１）の内周縁面１２９（図１）とループ状リブ１２２（図１）の外周縁面１２８（図１）との間の、後面１１５（図１）と平行に測定される距離のことを指すことができる。いくつかの実施形態では、ループ状リブ１２２（図１）の厚さは、ループ状リブ１２２（図１）全体にわたって変わることができ、リブ厚さ５３９は、ループ状リブ１２２（図１）の最大リブ厚さとすることができる。多くの実施形態では、リブ厚さ５３９は、およそ０．０５０ｃｍ〜およそ１．５０ｃｍとすることができる。いくつかの実施形態では、リブ厚さ５３９は、およそ０．０５ｃｍとすることができる。いくつかの実施形態では、リブ厚さ５３９は、およそ０．２５センチメートル以上とすることができる。いくつかの実施形態では、リブ厚さ５３９は、およそ０．５０センチメートルとすることができる。いくつかの実施形態では、リブ厚さ５３９は、およそ０．７５センチメートルとすることができる。いくつかの実施形態では、リブ厚さ５３９は、およそ１．００センチメートルとすることができる。いくつかの実施形態では、リブ厚さ５３９は、およそ１．２５センチメートルとすることができる。いくつかの実施形態では、リブ厚さ５３９は、およそ１．５０センチメートルとすることができる。さまざまな実施形態では、ループ状リブ１２７（図１）が複数のループ状リブを備える場合、ループ状リブ１２７（図１）のうちの２つ以上のループ状リブが、同じリブ厚さを備えることができ、および／またはループ状リブ１２７（図１）のうちの２つ以上のループ状リブが、異なるリブ厚さを備えることができる。とりわけ、多くの実施形態では、リブスパン５３９は、内周縁面１２９（図１）および／または外周縁面１２８（図１）の中点で測定され得る。
【００７７】
さらになお、ループ状リブ１２２（図１）は、リブ高さ５４０を備えることができる。リブ高さ５４０とは、後面１１５（図１）から、ループ状リブ１２２（図１）の後面１１５から最も遠い中心位置（すなわち外周縁面１２８（図１）が内周縁面１２９（図１）と接するところまでの垂直な距離のことを指すことができる。これらまたは他の実施形態では、リブ高さ５４０は、およそ０．３０４８センチメートル以上とすることができる。いくつかの実施形態では、リブ高さ５４０は、およそ０．１７７８ｃｍ〜およそ０．３０４８ｃｍとすることができる。いくつかの実施形態では、リブ高さ５４０は、およそ０．１７ｃｍ、０．２０ｃｍ、０．２３ｃｍ、０．２６ｃｍ、０．２９ｃｍ、または０．３０ｃｍとすることができる。多くの実施形態では、リブ高さ５４０は、およそ０．５１２ｃｍ以下とすることができる。いくつかの実施形態では、ループ状リブ１２２（図１）の高さは、ループ状リブ１２２全体にわたって変わることができ、リブ高さ５４０は、ループ状リブ１２２（図１）の最大リブ高さとすることができる。さまざまな実施形態では、ループ状リブ１２７（図１）が複数のループ状リブを備えるとき、ループ状リブ１２７（図１）のうちの２つ以上のループ状リブが、同じリブ高さを備えることができ、および／またはループ状リブ１２７（図１）のうちの２つ以上のループ状リブが、異なるリブ高さを備えることができる。
【００７８】
多くの実施形態では、中心厚さ５３７、最大リブスパン５３８、リブ厚さ５３９、および／またはリブ高さ５４０は、互いのうちの１つまたは複数に応じて変わり得る。例えば、中心厚さ５３７は、リブ厚さ５３９およびリブ高さ５４０の関数となり得る。すなわち、リブ厚さ５３９および／またはリブ高さ５４０が増大する場合、中心厚さ５３７は低減され得、逆も同様である。一方、リブ厚さ５３９およびリブ高さ５４０は、互いによって変わり得る。例えば、リブ厚さ５３９を増大させると、リブ高さの低減が可能になり得、逆も同様である。
【００７９】
ここで図１および図２に戻ると、多くの実施形態では、周縁壁要素１１３が、第１の周縁壁部１２４および第２の周縁壁部１２５を備えることができる。周縁壁要素１１３は、（ｉ）後面１１５の後周縁部１１９の周りに少なくとも部分的に（例えばその周り全体に）、（ｉｉ）後面１１５から外に後端部１０４に向かって、かつ（ｉｉｉ）前端部２０３（図２）から離れて延在する。一方、第１の周縁壁部１２４は、上端部１０１で後面１１５の後周縁部１１９に沿って延在することができ、第２の周縁壁部１２５は、底端部１０２で後面１１５の後周縁部１１９に沿って延在することができる。多くの実施形態では、強化デバイス１１２および強化要素１２０は、強化デバイス１１２および強化要素１２０が後面１１５で浮動するように、後面１１５のところで周縁壁要素１１３から離隔しており、および／またはそこから離れて位置する。強化デバイス１１２および強化要素１２０を浮動させることによって、フェース要素１１１がフェース中心２１６（図２）の周りで略対称的に屈曲することが可能になり得る。
【００８０】
多くの実施形態では、クラブヘッド本体１１０は、（ｉ）少なくとも部分的に第１の周縁壁部１２４および／もしくは上端部１０１にある上面１３２、および／または（ｉｉ）少なくとも部分的に第２の周縁壁部１２５および／もしくは底端部１０２にあるソール面１３３を備えることができる。したがって、いくつかの実施形態では、第１の周縁壁部１２４は、上面１３２の少なくとも一部を構成することができ、および／または第２の周縁壁部１２５は、ソール面１３３の少なくとも一部を構成することができる。さらに、上面１３２は、上端部１０１でフェース面２１４（図２）と接することができ、および／またはソール面１３３は、底端部１０２でフェース面２１４（図２）と接することができる。
【００８１】
いくつかの実施形態では、第２の周縁壁部１２５の少なくとも部分が、フェース周縁部２１７（図２）のところのおよび／またはフェース周縁部２１７に近位のフェース要素１１１と略等しい厚さ、またはそれよりも薄くすることができる。例えば、第２の周縁壁部１２５は、第２の周縁壁部１２５の、フェース周縁部２１７（図２）に近位の部分（すなわち、第２の周縁壁部１２５がフェース要素１１１と接するところ）で、フェース周縁部２１７のおよび／またはフェース周縁部２１７に近位のフェース要素１１１と等しい厚さ、またはそれよりも薄くすることができる。第２の周縁壁部１２５のこの部分を、フェース周縁部２１７（図２）のおよび／またはフェース周縁部２１７に近位のフェース要素１１１と等しい厚さに、またはそれよりも薄くなるように実装すると、フェース面２１４（図２）がゴルフボールをインパクトしたときに、第２の周縁壁部１２５に応力集中部が形成することが防止され得る。
【００８２】
後面１１５は、第１の後面部および第２の後面部を備える。第１の後面部とは、後面１１５の、周縁壁要素１１３によって覆われる部分のことを指すことができ、第２の後面部とは、後面１１５の残りの部分のことを指すことができる。多くの実施形態では、強化要素１２１（例えばループ状リブ１２２）は、後面１１５の第２の後面部の表面積のおよそ２５パーセント以上、および／または後面１１５の第２の後面部の表面積のおよそ４０パーセント以下を覆うことができる。他の実施形態では、強化要素１２１（例えばループ状リブ１２２）は、後面１１５の第２の後面部の表面積のおよそ３０パーセント以上を覆うことができる。いくつかの実施形態では、強化要素１２１（例えばループ状リブ１２２）は、後面１１５の第２の後面部の表面積のおよそ２５パーセント、２８パーセント、３１パーセント、３４パーセント、３７パーセント、または４０パーセントを覆うことができる。
【００８３】
さらに、クラブヘッド本体１１０は、シャフトを受領し、それをクラブヘッド１００および／またはクラブヘッド本体１００に結合するための、ホーゼル１３４または他の任意の適切な機構（例えばボア）を備えることができる。他の適切な機構は、１つまたは複数の点で、ホーゼル１３４に類似し得る。
【００８４】
一方、一般的に言うと、ホーゼル１３４はヒール端部１０６に、またはそれに近接して位置することができる。シャフトは図面に示していないが、ホーゼル１３４は、例えばゴルフクラブシャフトなどのシャフトを（すなわちホーゼル１３４の開口を通じて）受領するように構成され得る。したがって、ホーゼル１３４は、シャフトを受領することができ、ホーゼル１３４がシャフトを受領したときに、シャフトがクラブヘッド１００および／またはクラブヘッド本体１１０に（例えば恒久的にまたは取り外し可能に）結合されるのを可能にすることができる。
【００８５】
さらに、いくつかの実施形態では、第２の周縁壁部１２５は、ウエイトキャビティ１３５を備えることができる。これらの実施形態では、ウエイトキャビティ１３５は、取り外し可能なまたは恒久的な加重インサートを受領するように構成され得る。加重インサートは、加重インサートがクラブヘッド１００の重心よりもクラブヘッド１００の底端部１０２の近くに位置するように、ウエイトキャビティ１３５内に配置され得る。言い換えると、加重インサートは、クラブヘッド１００の重心が、加重インサートよりもクラブヘッド１００の上端部１０１の近くに位置するように、ウエイトキャビティ１３５内に配置され得る。加重インサートは、クラブヘッド１００の重心を変更するように構成され得る。
【００８６】
図面を先に進むと、図６は、一実施形態によるクラブヘッド６００の上面、後面、トゥ側面図を示す。一方、図７は、図６の実施形態によるクラブヘッド６００の上面、正面、トゥ側面図を示す。
【００８７】
クラブヘッド６００は、クラブヘッド１００（図１）に類似していてもよく、それと同一でもよい。したがって、クラブヘッド６００は、強化デバイス６１２を備えることができ、強化デバイス６１２は、強化要素６２０を備えることができる。強化デバイス６１２は、強化デバイス１１２（図１）に類似していてもよく、それと同一でもよく、強化要素６２０は、強化要素１２０（図１）に類似していてもよく、それと同一でもよい。
【００８８】
強化要素６２０は、第１の強化要素６２１および第２の強化要素６４１を備えることができる。第１の強化要素６２１および／または第２の強化要素６４１はそれぞれ、第１の強化要素１２１（図１）に類似し得る。したがって、第１の強化要素６２１は、第１のループ状リブ６２２を備えることができ、第２の強化要素６４１は、第２のループ状リブ６４２を備えることができる。第１のループ状リブ６２２および／または第２のループ状リブ６４２はそれぞれ、ループ状リブ１２２（図１）に類似し得る。
【００８９】
これらの実施形態では、第１の強化要素６２１および／または第１のループ状リブ６２２が、円形ループ状リブを備えることができ、第２の強化要素６２２および／または第２のループ状リブ６４２が、楕円形ループ状リブを備えることができる。第２の強化要素６２２および／または第２のループ状リブ６４２は、第１の強化要素６２１および／または第１のループ状リブ６２２を囲むことができる。多くの実施形態では、楕円形ループ状リブの長軸が、クラブヘッド６００のｘ軸と略平行とすることができる。ｘ軸は、ｘ軸１０７（図１）に近似していてもよく、それと同一でもよい。それと同じまたは異なる実施形態では、楕円形ループ状リブの短軸が、クラブヘッド６００のｙ軸と非平行とすることができる。ｙ軸は、ｙ軸１０８（図１）に近似していてもよく、それと同一でもよい。
【００９０】
強化デバイス６１２を有するクラブヘッド６００は、前端部２０３から底端部１０２にかけて延在する均一な移行厚さ５５０（図示せず）も有することができる。均一な移行厚さ５５０は、強化デバイス６１２を有するクラブヘッド６００の、前端部２０３と底端部１０２との間の領域に向けられた応力を吸収する。均一な移行厚さ５５０は、およそ０．２０〜０．８０インチの範囲とすることができる。例えば、均一な移行厚さ５５０は、およそ０．２０、０．２５、０．３０、０．３５、０．４０、０．４５、０．５０、０．５５、０．６０、０．６５、０．７０、０．７５、または０．８０インチとすることができる。
【００９１】
別の実施形態において、図８は、図１の別の実施形態によるクラブヘッド８００の図２の切断線５−５に沿った側面図を示す。図８に示すクラブヘッド８００は、キャビティ１３１内のインサート８０５を示す。図９は、図８の実施形態によるクラブヘッド８００の上面、後面、ヒール側面図を示す。いくつかの実施形態では、インサート８０５は、振動減衰特徴部とすることができる。インサート８０５は、非金属材料、ポリウレタンなどのエラストマー材料、または発泡体などの別の材料とすることができる。インサート８０５は、クラブヘッド８００の音および感触を調整するために使用され得る。振動を吸収または制振することによって、インサート８０５は、クラブヘッド８００の感触を向上させる。加えて、インサート８０５は、ゴルフボールがフェースを打撃する音を吸収し、それにより、ゴルフクラブ８００のヘッドの感触が、より中空ではなくなり、より中実になる。さらなる実施形態では、キャビティ１３１を、バッジ（図示せず）が少なくとも部分的に覆うことができる。バッジは、インサート８０５から分離していてもよく、インサート８０５と一体をなしてもよい。他の実施形態では、バッジは、強化要素１２０（図１）などの強化要素と一体をなすことができる。  
【００９２】
場合によっては、クラブヘッド８００のスイングウエイトまたは重心に著しく影響を及ぼさないように、インサート８０５の重量は約３ｇ未満とすることができる。他の実施形態では、インサート８０５の重量は、約５ｇ〜約１０ｇなど、約３ｇよりも大きくてもよく、クラブヘッド８００のスイングウエイトおよび／または重心に大きく寄与することができる。いくつかの実施形態では、インサート８０５は、エポキシ接着剤、粘弾性発泡体テープ、振動減衰特徴部、または３Ｍ（商標）ＶＨＢ（商標）テープなどの高強度テープを使用して、キャビティ１３１に付着され得る。他の実施形態では、インサート８０５は、キャビティ１３１に直接流し込まれ、接着され得る。バッジは、類似の接着剤を用いて接着され得る。いくつかの実施形態では、インサート８０５またはバッジは、ループ状リブ１２２（図１）と、リブ高さ５４０の上部で同一平面であってもよく、またはそれらは、完全に組み立てられたとき、リブ高さ５４０より下であってもよい。
【００９３】
いくつかの実施形態では、少なくとも１つの振動減衰特徴部（例えばインサート８０５（図８）が、ゴルフクラブヘッド８００などのゴルフクラブヘッドの後面１１５（図１）上に配設され得る。振動減衰特徴部は、インパクト時にゴルフクラブヘッド８００からより望ましい音を生み出すことができる。ゴルフクラブヘッド８００の薄いフェース要素１１１（図１）は、ゴルフボールを打撃するときに望ましくない音を発生させることがある。振動減衰特徴部が振動を減少させ、それにより、薄いフェース要素１１１（図１）によるインパクト時に、より望ましい音がもたらされ得る。振動減衰構成要素は、より望ましい雑音を提供することによって、使用中のユーザの自信を増大させることができる。振動減衰特徴部は、ゴルフクラブのユーザがゴルフボールを打撃するときに感じる振動衝撃を低減させることもできる。さらに、振動減衰特徴部は、振動疲労を減少させて、ゴルフクラブ８００、および限定されないがキャビティ１３１やウエイトキャビティ１３５（図１）などのさまざまな特徴部に対する、摩耗を低減させることができる。振動疲労が減少するとさらに、限定されないがキャビティ１３１のインサート８０５やウエイトキャビティ１３５（図１）内のインサートなどの部品が緩むまたは変位するリスクが、低下し得る。振動疲労が減少すると、ゴルフクラブヘッド８００の性能寿命が延長し得る。
【００９４】
図１２に見られるように、さらなる実施形態では、振動減衰特徴部が、粘弾性制振材料からなる少なくとも１層を備えることができる。制振材料は、３Ｍ（商標）制振フォイルテープ２５５２などの制振フォイル１２０２をなす、感圧性粘弾性アクリルポリマーおよびアルミニウムフォイルを含むことができる。制振フォイル１２０２は、接着剤層を備えることができる。一実施形態では、振動減衰特徴部は、少なくとも１つの粘弾性接着剤層１２０３を備えることができ、この層は、エポキシ接着剤、粘弾性発泡体テープ、および／または３Ｍ（商標）ＶＨＢ（商標）テープなどの高強度テープのうちの少なくとも１層の、さまざまな層からなる組成を備えることができる。いくつかの実施形態では、振動減衰特徴部は、粘弾性接着剤１２０３、制振フォイル１２０２、および／またはバッジ１２０１のうちの少なくとも１つの、さまざまな層組合せを備えることができる。
【００９５】
図８に戻ると、いくつかの実施形態では、振動減衰特徴部は、ゴルフクラブヘッド８００などのゴルフクラブヘッドの、鋼鉄１２０４などの後面材料を備える後面１１５（図１）上に配設され得る。別の実施形態では、振動減衰特徴部は、ゴルフクラブヘッド８００のキャビティ１３１内またはインサート８０５の上もしくは下に配設され得る。振動減衰特徴部は、ゴルフクラブヘッド８００の後面１１５（図１）のさまざまな位置に位置することができる。一般に、振動減衰特徴部は、後面１１５（図１）上でバッジの輪郭の下に、少なくとも部分的に位置する。いくつかの実施形態では、振動減衰特徴部は、バッジの輪郭全体の下に配設される。他の実施形態では、振動減衰特徴部は、バッジの輪郭の、アルミニウム領域やエラストマー領域などの特定領域のみの下に、少なくとも部分的に配設される。振動減衰特徴部は、バッジの輪郭の周縁領域の少なくとも部分のみの下に配設され得る。いくつかの実施形態では、振動減衰特徴部は、ゴルフクラブヘッド８００のキャビティ１３１内に、少なくとも部分的に配設され得る。振動減衰特徴部は、キャビティ１３１内でインサート８０５の上または下に、少なくとも部分的に配設され得る。多くの実施形態では、ゴルフクラブヘッド８００上への振動減衰特徴部の配設は、フォイルが、バッジの下に少なくとも部分的に、インサート８０５の上に少なくとも部分的に、ウエイトキャビティ１３５（図１）内に少なくとも部分的に、および／またはキャビティ１３１内に少なくとも部分的に配設される、さまざまな組合せを含む。いくつかの実施形態では、振動減衰特徴部は、後面１１５（図１）の表面積の少なくとも１０パーセントをそれが覆うように配設される。他の実施形態では、振動減衰特徴部は、後面１１５の表面積の少なくとも１５、２０、２５、３０、３５、４０、４５、５０、５５、６０、６５、７０、７５、８０、８５、９０、９５、または１００パーセントを覆うことができる。
【００９６】
インサート８０５を有するクラブヘッド８００は、前端部２０３から底端部１０２にかけて延在する均一な移行厚さ５５０（図８）も有することができる。均一な移行厚さ５５０は、インサート８０５を有するクラブヘッド８００の、前端部２０３と底端部１０２との間の領域に向けられた応力を吸収する。均一な移行厚さ５５０は、およそ０．２０〜０．８０インチの範囲とすることができる。例えば、均一な移行厚さ５５０は、およそ０．２０、０．２５、０．３０、０．３５、０．４０、０．４５、０．５０、０．５５、０．６０、０．６５、０．７０、０．７５、または０．８０インチとすることができる。
【００９７】
ゴルフクラブヘッド１００、３００、６００、８００は、変化するロフト角を有する１組のクラブヘッドの一部とすることができる。いくつかの実施形態では、中心厚さ５３７、強化要素１２０の外側のフェース厚さ５４２、上部厚さ５４６、底部厚さ５４８、リブ高さ５４０におけるフェース厚さ、または前述の厚さの組合せは、１組のクラブヘッド内でクラブヘッドのロフト角とともに変化することができる。
【００９８】
ここで次の図面に移ると、図１０は、ゴルフクラブヘッドを提供する方法１０００の一実施形態に関するフローチャートを示す。方法１０００は、単なる例示であり、本明細書に提示する実施形態に限定されない。方法１０００は、本明細書で明確に図示または説明していない多くの異なる実施形態または例で用いられ得る。いくつかの実施形態では、方法１０００の作業、手順、および／またはプロセスが、提示した順序で実施され得る。他の実施形態では、方法１０００の作業、手順、および／またはプロセスが、他の任意の適切な順序で実施され得る。さらに他の実施形態では、方法１０００における作業、手順、および／またはプロセスのうちの１つまたは複数が、組み合わされてもよく、スキップされてもよい。多くの実施形態では、ゴルフクラブヘッドは、ゴルフクラブヘッド１００（図１および図２）、ゴルフクラブヘッド６００（図６および図７）、および／またはゴルフクラブヘッド８００（図８および図９）に類似していてもよく、それと同一でもよい。
【００９９】
方法１０００は、フェース要素を提供する作業１００１を含むことができる。フェース要素は、フェース要素１１１（図１）に類似していてもよく、それと同一でもよい。
【０１００】
方法１０００は、強化デバイスを提供する作業１００２を含むことができる。強化デバイスは、強化デバイス１１２（図１）に類似していてもよく、それと同一でもよい。図１１は、図１０の実施形態による例示的作業１００２を示す。
【０１０１】
例えば、作業１００２は、第１の強化要素を提供する作業１１０１を含むことができる。第１の強化要素は、第１の強化要素１２１（図１）、強化要素６２１（図６）、強化要素１２０（図１）のうちのいずれか１つの強化要素、および／または強化要素６２０（図６）のうちのいずれか１つの強化要素に類似していてもよく、それと同一でもよい。
【０１０２】
さらに、作業１００２は、第２の強化要素を提供する作業１１０２を含むことができる。第２の強化要素は、第２の強化要素６４１（図６）および／または強化要素６２０（図６）のうちのいずれか１つの強化要素に類似していてもよく、それと同一でもよい。いくつかの実施形態では、作業１１０１および作業１１０２は、略同時に実施され得る。他の実施形態では、作業１１０２は省略され得る。
【０１０３】
図１０に戻ると、方法１０００は、周縁壁要素を提供する作業１００３を含むことができる。周縁壁要素は、周縁壁要素１１３（図１）に類似していてもよく、それと同一でもよい。いくつかの実施形態では、作業１００３は省略され得る。
【０１０４】
いくつかの実施形態では、方法１０００は、作業１００２において提供された強化デバイス内の中心キャビティ内に、インサートを提供する作業１００４を含むことができる。いくつかの実施形態では、作業１００４は省略され得る。
【０１０５】
多くの実施形態では、作業１００１〜１００４のうちの２つ以上が、順次実施されてもよく、互いに略同時に実施されてもよい。これらまたは他の実施形態では、作業１００１〜１００４は、任意の適切な製造技法（例えば鋳造、鍛造、モールディング、機械加工、接合等）を実行して、実施され得る。
【０１０６】
以上、本明細書のゴルフクラブヘッド、および関連方法について、特定の実施形態に即して説明してきたが、本開示の趣旨または範囲から逸脱することなく、さまざまな変更が加えられ得る。例えば、当業者には、図１０の作業１００１〜１００４、ならびに図１１の作業１１０１および１１０２が、多くの異なる手順、プロセス、および作業から構成され、多くの異なるモジュールによって、多くの異なる順序で実施され得ること、図１〜図４の任意の要素が修正され得ること、ならびにこれらの実施形態のうちのいくつかについての先の議論が必ずしも、可能な全ての実施形態の完全な説明になっているとは限らないことが、容易に明らかとなるであろう。
【０１０７】
さらに、上記の例は、アイアンタイプのゴルフクラブヘッドに関連して説明されていることがあるが、本明細書で説明する装置、方法、および製品は、ウッドタイプのゴルフクラブやパタータイプのゴルフクラブなど、他のタイプのゴルフクラブに適用可能とすることができる。あるいは、本明細書で説明する装置、方法、および製品は、ホッケースティック、テニスラケット、釣り竿、スキーストック等のような、適用可能な他のタイプのスポーツ用品とすることもできる。
【０１０８】
そのような変更その他のさらなる例が、先の説明の中で挙げられたさまざまな図の特徴部のうちの１つまたは複数を有する異なる実施形態の他の置換えも、同様に企図される。したがって、本明細書の明細書、特許請求の範囲、および図面は、本開示の範囲を例示するためのものであり、限定するものではない。本出願の範囲は、添付の特許請求の範囲によって求められる範囲のみに限定されることが意図される。
【０１０９】
条項１：ゴルフクラブヘッドであって、上端部および上端部の反対側にある底端部と、前端部および前端部の反対側にある後端部と、トゥ端部およびトゥ端部の反対側にあるヒール端部と、フェース要素であって、前端部に位置し、フェース中心およびフェース周縁部を備えるフェース面と、後端部に位置し、フェース面とは略反対側にある後面であって、フェース中心の略反対側にある後中心、および後周縁部を備える後面とを備えるフェース要素と、後面に位置する強化デバイスとを備え、ｘ軸が、フェース面に略平行に延在し、後中心を通過し、ｙ軸が、フェース面に略平行に延在し、ｘ軸に略垂直に延在し、後中心を通過し、ｚ軸が、フェース面に略垂直に延在し、ｘ軸およびｙ軸に略垂直に延在し、後中心を通過し、ｘ軸が、トゥ端部およびヒール端部を通って、上端部と底端部から等距離の位置で延在し、ｙ軸が、上端部および底端部を通って、トゥ端部とヒール端部から等距離の位置で延在し、ｚ軸が、前端部および後端部を通って、（ｉ）トゥ端部とヒール端部から、（ｉｉ）上端部と後端部から等距離の位置で延在し、強化デバイスが、実質的にｚ軸上に位置する幾何学的中心を備える強化要素を備え、強化要素が、後面から後端部に向かうとともに前端部から離れるように延在し、強化要素が、ループ状リブを備え、フェース面が、フェース周縁部の近位においてよりもフェース中心の近位において後面により近くなっている、ゴルフクラブヘッド。
【０１１０】
条項２：フェース面が、トゥ端部とヒール端部との間に延在する１つまたは複数のスコアリングラインを備える、条項１に記載のゴルフクラブヘッド。
【０１１１】
条項３：アイアンタイプのゴルフクラブヘッドを備える、条項１に記載のゴルフクラブヘッド。
【０１１２】
条項４：後面が、フェース周縁部の近位においてよりもフェース中心においてフェース面により近くなっていること、及び、フェース中心から後中心までの中心厚さが、およそ０．２０３センチメートル以下であること、のうちの少なくとも一方である、条項１に記載のゴルフクラブヘッド。
【０１１３】
条項５：ループ状リブが、ｘ軸に対して対称であること、及び、ループ状リブが、ｙ軸に対して対称であること、のうちの少なくとも一方である、条項１に記載のゴルフクラブヘッド。
【０１１４】
条項６：ループ状リブが、楕円形ループ状リブを備える、条項５に記載のゴルフクラブヘッド。
【０１１５】
条項７：楕円形ループ状リブが、円形ループ状リブを備える、条項６に記載のゴルフクラブヘッド。
【０１１６】
条項８：強化要素が、外周縁面を備え、ループ状リブが、外周縁面および内周縁面を備え、強化要素の外周縁面が、ループ状リブの外周縁面を備え、強化要素の外周縁面が、後面に対してすみ肉付けされること、及び、ループ状リブの内周縁面が、後面に対してすみ肉付けされること、のうちの少なくとも一方である、条項１に記載のゴルフクラブヘッド。
【０１１７】
条項９：ループ状リブが、内周縁面を備え、ループ状リブが、内周縁面と後面とによって画定されるキャビティを備え、キャビティに加重インサートがない、条項１に記載のゴルフクラブヘッド。
【０１１８】
条項１０：ループ状リブが、内周縁面を備え、ループ状リブが、内周縁面と後面とによって画定されるキャビティを備え、キャビティがインサートを収容する、条項１に記載のゴルフクラブヘッド。
【０１１９】
条項１１：インサートが、エラストマーまたは発泡体を含む、条項１０に記載のゴルフクラブヘッド。
【０１２０】
条項１２：キャビティが、バッジによって少なくとも部分的に覆われる、条項１０に記載のゴルフクラブヘッド。
【０１２１】
条項１３：バッジがインサートと一体をなす、条項１２に記載のゴルフクラブヘッド。
【０１２２】
条項１４：インサートの重量が、およそ３グラム以下である、条項１２に記載のゴルフクラブヘッド。
【０１２３】
条項１５：インサートとバッジを合わせた重量が、およそ８グラム以下である、条項１２に記載のゴルフクラブヘッド。
【０１２４】
条項１６：後面が少なくとも部分的に、その上に配設された振動減衰特徴部を備える、条項１０に記載のゴルフクラブヘッド。
【０１２５】
条項１７：振動減衰特徴部が、ゴルフクラブヘッドの後面上に配設された制振フォイルと、ゴルフクラブヘッドの後面を少なくとも部分的に覆うバッジ、及び、キャビティを少なくとも部分的に覆うバッジ、のうちの少なくとも一方とを備える、条項１６に記載のゴルフクラブヘッド。
【０１２６】
条項１８：制振フォイルが、バッジと、ゴルフクラブヘッドの後面及びキャビティのうちの少なくとも一方との間に位置する、条項１７に記載のゴルフクラブヘッド。
【０１２７】
条項１９：バッジが、少なくとも１つのアルミニウム領域を備え、制振フォイルが、アルミニウム領域と、ゴルフクラブヘッドの後面及びキャビティのうちの少なくとも一方との間に位置する、条項１７に記載のゴルフクラブヘッド。
【０１２８】
条項２０：後面から外に後端部に向かうとともに前端部から離れるように延在する周縁壁要素をさらに備え、周縁壁要素が、上端部で後面の周縁部に沿って延在する第１の周縁壁部、および底端部で後面の周縁部に沿って延在する第２の周縁壁部を備える、条項１に記載のゴルフクラブヘッド。
【０１２９】
条項２１：第２の周縁壁部の少なくとも一部が、フェース周縁部に近位のフェース要素よりも薄い、条項１６に記載のゴルフクラブヘッド。
【０１３０】
条項２２：第２の周縁壁部が、加重インサートを受け入れるように構成されたウエイトキャビティを備える、条項１６に記載のゴルフクラブヘッド。
【０１３１】
条項２３：加重インサートの重量が、およそ５グラムとおよそ１０グラムの間である、条項１８に記載のゴルフクラブヘッド。
【０１３２】
条項２４：後面が、第１の後面部および第２の後面部を備え、周縁壁要素が、後面の周縁部の周り全体に延在し、第１の後面部を覆い、第２の後面部が、表面積を有し、強化要素が、表面積の少なくともおよそ２５パーセントを覆う、条項１６に記載のゴルフクラブヘッド。
【０１３３】
条項２５：強化要素が、外周縁面を備え、ループ状リブが、外周縁面および内周縁面を備え、強化要素の外周縁面が、ループ状リブの外周縁面を備え、内周縁面が、およそ０．６０９センチメートル以上でおよそ１．８８センチメートル以下の最大リブスパンを有する、条項１に記載のゴルフクラブヘッド。
【０１３４】
条項２６：強化要素が、外周縁面を備え、ループ状リブが、外周縁面および内周縁面を備え、強化要素の外周縁面が、ループ状リブの外周縁面を備え、ループ状リブの内周縁面とループ状リブの外周縁面との間のリブ厚さが、およそ０．０５０８センチメートルからおよそ１．４４８センチメートルである、条項１に記載のゴルフクラブヘッド。
【０１３５】
条項２７：ループ状リブが、リブ高さを有し、リブ高さが、およそ０．１７７８センチメートルからおよそ０．３０４８センチメートルである、条項１に記載のゴルフクラブヘッド。
【０１３６】
条項２８：ループ状リブが、内周縁面を備え、リブ高さにおけるループ状リブの内周縁面が、後面に対して実質的に直交する、条項２３に記載のゴルフクラブヘッド。
【０１３７】
条項２９：ループ状リブが、リブ高さを有し、リブ高さが、ループ状リブの中間領域において最大である、条項１に記載のゴルフクラブヘッド。
【０１３８】
条項３０：強化要素が、第１の強化要素を備え、ループ状リブが、第１のループ状リブを備え、強化デバイスが、第２の強化要素を備え、第２の強化要素が、第２のループ状リブを備え、第２のループ状リブが、第１のループ状リブと略同心である、条項１に記載のゴルフクラブヘッド。
【０１３９】
条項３１：アイアンタイプのゴルフクラブヘッドであって、上端部および上端部の反対側にある底端部と、前端部および前端部の反対側にある後端部と、トゥ端部およびトゥ端部の反対側にあるヒール端部と、フェース要素であって、前端部に位置し、フェース中心およびフェース周縁部を備えるフェース面と、後端部に位置し、フェース面とは略反対側にある後面であって、フェース中心の略反対側にある後中心、および後周縁部を備える後面とを備えるフェース要素と、後面に位置する強化デバイスと、（ｉ）後面から後端部に向かうとともに前端部から離れるように延在し、（ｉｉ）後面の周縁部の周り全体に延在する周縁壁要素であって、上端部で後面の周縁部に沿って延在する第１の周縁壁部、および底端部で後面の周縁部に沿って延在する第２の周縁壁部を備える周縁壁要素とを備え、ｘ軸が、フェース面に略平行に延び、後中心を通過し、ｙ軸が、フェース面に略平行に延在し、ｘ軸に略垂直に延在し、後中心を通過し、ｚ軸が、フェース面に略垂直に延在し、ｘ軸およびｙ軸に略垂直に延在し、後中心を通過し、ｘ軸が、トゥ端部およびヒール端部を通って、上端部と底端部から等距離の位置で延在し、ｙ軸が、上端部および底端部を通って、トゥ端部とヒール端部から等距離の位置で延在し、ｚ軸が、前端部および後端部を通って、（ｉ）トゥ端部とヒール端部との間、（ｉｉ）上端部と後端部から等距離の位置で延在し、強化デバイスが、略ｚ軸上に位置する幾何学的中心を備える強化要素を備え、強化要素が、後面から後端部に向かうとともに前端部から離れるように延在し、強化要素が、閉円形ループ状リブを備え、ゴルフクラブヘッドが、アイアンタイプのゴルフクラブヘッドを備え、フェース中心から後中心までの中心厚さが、およそ０．２０３センチメートル以上であり、第２の周縁壁部の少なくとも一部が、フェース周縁部に近位のフェース要素よりも薄い、アイアンタイプのゴルフクラブヘッド。
【０１４０】
条項３２：強化要素が、第１の強化要素を備え、強化デバイスが、第２の強化要素を備え、第２の強化要素が、閉円形ループ状リブを囲む閉楕円形ループ状リブを備え、閉楕円形ループ状リブが、閉円形ループ状リブと略同心であり、閉楕円形ループ状リブが、ｘ軸と略平行な長軸を有する、条項２７に記載のアイアンタイプのゴルフクラブヘッド。
【０１４１】
条項３３：ゴルフクラブヘッドを提供する方法であって、前端部に位置し、フェース中心およびフェース周縁部を備えるフェース面と、後端部に位置し、フェース面とは略反対側にある後面であって、フェース中心の略反対側にある後中心、および後周縁部を備える後面と、を備えるフェース要素を提供する工程と、後面に強化デバイスを提供する工程と、を備え、ゴルフクラブヘッドが、上端部および上端部の反対側にある底端部と、前端部および前端部の反対側にある後端部と、トゥ端部およびトゥ端部の反対側にあるヒール端部と、を備え、ｘ軸が、フェース面に略平行に延在し、後中心を通過し、ｙ軸が、フェース面に略平行に延在し、ｘ軸に略垂直に延在し、後中心を通過し、ｚ軸が、フェース面に略垂直に延在し、ｘ軸およびｙ軸に略垂直に延在し、後中心を通過し、ｘ軸が、トゥ端部およびヒール端部を通って、上端部と底端部から等距離の位置で延在し、ｙ軸が、上端部および底端部を通って、トゥ端部とヒール端部から等距離の位置で延在し、ｚ軸が、前端部および後端部を通って、（ｉ）トゥ端部とヒール端部から、（ｉｉ）上端部と後端部から等距離の位置で延在し、強化デバイスを提供することが、略ｚ軸上に位置する幾何学的中心を備える強化要素を提供することを含み、強化要素が、後面から外に後端部に向かうとともに前端部から離れるように延在し、強化要素が、ループ状リブを備え、フェース面が、フェース周縁部の近位においてよりもフェース中心の近位において後面により近くなっている、方法。
【０１４２】
条項３４：ループ状リブが、内周縁面を備え、ループ状リブが、内周縁面と後面とによって画定される中心キャビティを備え、中心キャビティがインサートを収容する、条項２９に記載の方法。
【０１４３】
条項３５：強化要素が、第１の強化要素を備え、ループ状リブが、第１のループ状リブを備え、強化デバイスを提供することが、第２の強化要素を提供する工程をさらに含み、第２の強化要素が、第２のループ状リブを備え、第２のループ状リブが、第１のループ状リブと略同心である、条項２９に記載の方法。
【０１４４】
条項３６：ゴルフクラブであって、シャフトと、シャフトに結合されたゴルフクラブヘッドであって、上端部および上端部の反対側にある底端部と、前端部および前端部の反対側にある後端部と、トゥ端部およびトゥ端部の反対側にあるヒール端部と、フェース要素であって、前端部に位置し、フェース中心およびフェース周縁部を備えるフェース面と、後端部に位置し、フェース面とは略反対側にある後面であって、フェース中心の略反対側にある後中心、および後周縁部を備える後面とを備えるフェース要素と、後面に位置する強化デバイスと、を備えるゴルフクラブヘッドを備え、ｘ軸が、フェース面に略平行に延在し、後中心を通過し、ｙ軸が、フェース面に略平行に延在し、ｘ軸に略垂直に延在し、後中心を通過し、ｚ軸が、フェース面に略垂直に延在し、ｘ軸およびｙ軸に略垂直に延在し、後中心を通過し、ｘ軸が、トゥ端部およびヒール端部を通って、上端部と底端部から等距離の位置で延在し、ｙ軸が、上端部および底端部を通って、トゥ端部とヒール端部から等距離の位置で延在し、ｚ軸が、前端部および後端部を通って、（ｉ）トゥ端部とヒール端部から、（ｉｉ）上端部と後端部から等距離の位置で延在し、強化デバイスが、略ｚ軸上に位置する幾何学的中心を有する強化要素を備え、強化要素が、後面から外に後端部に向かうとともに前端部から離れるように延在し、強化要素が、ループ状リブを備え、フェース面が、フェース周縁部の近位においてよりもフェース中心の近位において後面により近くなっている、ゴルフクラブ。
【０１４５】
条項３７：ゴルフクラブヘッドであって、上端部および上端部の反対側にある底端部と、前端部および前端部の反対側にある後端部と、トゥ端部およびトゥ端部の反対側にあるヒール端部と、フェース要素であって、前端部に位置し、フェース中心およびフェース周縁部を備えるフェース面と、後端部に位置し、フェース面とは略反対側にある後面であって、フェース中心の略反対側にある後中心および後周縁部を備える後面とを備えるフェース要素と、後面に位置する強化デバイスとを備え、ｘ軸が、フェース面に略平行に延在し、かつ後中心を通過し、ｙ軸が、フェース面に略平行に延在し、ｘ軸に略垂直に延在し、かつ後中心を通過し、ｚ軸が、フェース面に略垂直に延在し、ｘ軸およびｙ軸に略垂直に延在し、かつ後中心を通過し、ｘ軸が、トゥ端部およびヒール端部を通って、上端部と底端部から等距離の位置で延在し、ｙ軸が、上端部および底端部を通って、トゥ端部とヒール端部から等距離の位置で延在し、ｚ軸が、前端部および後端部を通って、（ｉ）トゥ端部とヒール端部から、（ｉｉ）上端部と後端部から等距離の位置で延在し、強化デバイスが、略ｚ軸上に位置する幾何学的中心を備える強化要素を備え、強化要素が、後面から後端部に向かうとともに前端部から離れるように延在し、強化要素が、外周縁面および内周縁面を有するループ状リブを備え、フェース面が、フェース周縁部の近位においてよりもフェース中心の近位において後面により近くなっており、強化要素の外周縁面が、およそ０．０１２センチメートル以上の半径を有するすみ肉を用いて、後面に対してすみ肉付けされ、また内周縁面が、およそ０．６０９センチメートル以上からおよそ１．８８センチメートルの最大のリブスパンを含む、ゴルフクラブヘッド。
【０１４６】
条項３８：フェース面が、トゥ端部とヒール端部との間に延在する１つまたは複数のスコアリングラインを備える、条項３７に記載のゴルフクラブヘッド。
【０１４７】
条項３９：クラブヘッドの後面上に位置するリップ部をさらに備える、条項３７に記載のゴルフクラブヘッド。
【０１４８】
条項４０：後面が、フェース周縁部の近位においてよりもフェース中心においてフェース面により近くなっていること、またはフェース中心から後中心までの中心厚さが、およそ０．２０３センチメートル以下であることの少なくとも一方である、条項３７に記載のゴルフクラブヘッド。
【０１４９】
条項４１：ループ状リブが、ｘ軸に対して対称であること、及びループ状リブが、ｙ軸に対して対称であること、の少なくとも一方である、条項３７に記載のゴルフクラブヘッド。
【０１５０】
条項４２：ループ状リブが、楕円形ループ状リブを備える、条項４１に記載のゴルフクラブヘッド。
【０１５１】
条項４３：楕円形ループ状リブが、円形ループ状リブを備える、条項４２に記載のゴルフクラブヘッド。
【０１５２】
条項４４：ループ状リブの内周縁面が、後面に対してすみ肉付けされる、条項３７に記載のゴルフクラブヘッド。
【０１５３】
条項４５：ループ状リブが、内周縁面と後面とによって画定されるキャビティを備え、キャビティに加重インサートがない、条項３７に記載のゴルフクラブヘッド。
【０１５４】
条項４６：ループ状リブが、内周縁面と後面とによって画定されるキャビティを備え、キャビティがインサートを収容する、条項３７に記載のゴルフクラブヘッド。
【０１５５】
条項４７：インサートが、エラストマーまたは発泡体を含む、条項４６に記載のゴルフクラブヘッド。
【０１５６】
条項４８：後面が少なくとも部分的に、その上に配設された振動減衰特徴部を備え、振動減衰特徴部が、ゴルフクラブヘッドの後面上に配設される制振フォイルと、ゴルフクラブヘッドの後面を少なくとも部分的に覆うバッジ、及びキャビティを少なくとも部分的に覆うバッジ、の少なくとも一方とを備える、条項４６に記載のゴルフクラブヘッド。
【０１５７】
条項４９：制振フォイルが、バッジと、ゴルフクラブヘッドの後面及びキャビティの少なくとも一方との間に位置する、条項４８に記載のゴルフクラブヘッド。
【０１５８】
条項５０：ゴルフクラブヘッドが、後面から後端部に向かうとともに前端部から離れるように延在する周縁壁要素をさらに備え、周縁壁要素が、上端部で後面の周縁部に沿って延在する第１の周縁壁部と、底端部で後面の周縁部に沿って延在する第２の周縁壁部と、を備える、条項３７に記載のゴルフクラブヘッド。
【０１５９】
条項５１：強化要素が、外周縁面を備え、ループ状リブが、外周縁面および内周縁面を備え、強化要素の外周縁面が、ループ状リブの外周縁面を備え、ループ状リブの内周縁面とループ状リブの外周縁面との間のリブ厚さが、およそ０．０５０８センチメートルからおよそ１．４４８センチメートルである、条項３７に記載のゴルフクラブヘッド。
【０１６０】
条項５２：ゴルフクラブヘッドを提供する方法であって、前端部に位置し、フェース中心およびフェース周縁部を備えるフェース面と、後端部に位置し、フェース面とは略反対側にある後面であって、フェース中心の略反対側にある後中心および後周縁部を備える後面とを備えるフェース要素を提供する工程と、後面に強化デバイスを提供する工程とを含み、ゴルフクラブヘッドが、上端部および上端部の反対側にある底端部と、前端部および前端部の反対側にある後端部と、トゥ端部およびトゥ端部の反対側にあるヒール端部とを備え、ｘ軸が、フェース面に略平行に延在し、後中心を通過し、ｙ軸が、フェース面に略平行に延在し、ｘ軸に略垂直に延在し、かつ後中心を通過し、ｚ軸が、フェース面に略垂直に延在し、ｘ軸およびｙ軸に略垂直に延在し、かつ後中心を通過し、ｘ軸が、トゥ端部およびヒール端部を通って、上端部と底端部から等距離の位置で延在し、ｙ軸が、上端部および底端部を通って、トゥ端部とヒール端部から等距離の位置で延在し、ｚ軸が、前端部および後端部を通って、（ｉ）トゥ端部とヒール端部から、（ｉｉ）上端部と後端部から等距離の位置で延在し、強化デバイスを提供する工程が、略ｚ軸上に位置する幾何学的中心を備える強化要素を提供する工程を含み、強化要素が、後面から後端部に向かうとともに前端部から離れるように延在し、強化要素が、外周縁面および内周縁面を有するループ状リブを備え、フェース面が、フェース周縁部の近位においてよりもフェース中心の近位において後面により近くなっており、強化要素の外周縁面が、およそ０．０１２センチメートル以上の半径を有するすみ肉を用いて、後面に対してすみ肉付けされ、また内周縁面が、およそ０．６０９センチメートル以上からおよそ１．８８センチメートルの最大のリブスパンを含む、方法。
【０１６１】
条項５３：ループ状リブが、内周縁面と後面とによって画定される中心キャビティを備え、中心キャビティがインサートを収容する、条項５２に記載のゴルフクラブヘッド。
【０１６２】
条項５４：強化要素が、第１の強化要素を備え、ループ状リブが、第１のループ状リブを備え、強化デバイスを提供することが、第２の強化要素を提供することをさらに含み、第２の強化要素が、第２のループ状リブを備え、また第２のループ状リブが、第１のループ状リブと略同心である、条項５２に記載のゴルフクラブヘッド。
【０１６３】
条項５５：ゴルフクラブであって、シャフトと、シャフトに結合されたゴルフクラブヘッドであって、上端部および上端部の反対側にある底端部と、前端部および前端部の反対側にある後端部と、トゥ端部およびトゥ端部の反対側にあるヒール端部と、フェース要素であって、前端部に位置し、フェース中心およびフェース周縁部を備えるフェース面と、後端部に位置し、フェース面とは略反対側にある後面であり、フェース中心の略反対側にある後中心および後周縁部を備える後面とを備えるフェース要素と、後面に位置する強化デバイスとを備えるゴルフクラブヘッドとを備え、ｘ軸が、フェース面に略平行に延在し、かつ後中心を通過し、ｙ軸が、フェース面に略平行に延在し、ｘ軸に略垂直に延在し、かつ後中心を通過し、ｚ軸が、フェース面に略垂直に延在し、ｘ軸およびｙ軸に略垂直に延在し、かつ後中心を通過し、ｘ軸が、トゥ端部およびヒール端部を通って、上端部と底端部から等距離の位置で延在し、ｙ軸が、上端部および底端部を通って、トゥ端部とヒール端部から等距離の位置で延在し、ｚ軸が、前端部および後端部を通って、（ｉ）トゥ端部とヒール端部から、（ｉｉ）上端部と後端部から等距離の位置で延在し、強化デバイスが、略ｚ軸上に位置する幾何学的中心を備える強化要素を備え、強化要素が、後面から後端部に向かうとともに前端部から離れるように延在し、強化要素が、外周縁面および内周縁面を有するループ状リブを備え、フェース面が、フェース周縁部の近位においてよりもフェース中心の近位において後面により近くなっており、強化要素の外周縁面が、およそ０．０１２センチメートル以上の半径を有するすみ肉を用いて、後面に対してすみ肉付けされ、また内周縁面が、およそ０．６０９センチメートル以上からおよそ１．８８センチメートルの最大のリブスパンを含む、ゴルフクラブ。
【０１６４】
本明細書で論じたゴルフクラブヘッドおよび関連方法は、さまざまな実施形態において実行され得、これらの実施形態のうちのいくつかについての先の議論は必ずしも、可能な全ての実施形態の完全な説明になっているとは限らない。そうではなく、図面の詳細な説明、および図面自体が、少なくとも１つの好ましい実施形態を開示し、また代替実施形態を開示することがある。
【０１６５】
１つまたは複数の特許請求される要素の置換えは、訂正ではなく再構成となる。加えて、利益、他の利点、および問題に対する解決策について、特定の実施形態に関して説明してきた。しかし、利益、利点、問題に対する解決策、および任意の利益、利点、または解決策を生じさせ、またはより顕著にさせることのできる１つまたは複数の任意の要素を、請求項のうちのいずれかまたは全ての、肝要な、必要な、または不可欠な特徴部または要素と解釈することは、そのような利益、利点、解決策、または要素がそのような請求項内に明示的に述べられていない限り、すべきではない。
【０１６６】
ゴルフのルールは時々変わることがある（例えば、全米ゴルフ協会（ＵＳＧＡ）、ロイヤルアンドエンシェントゴルフクラブオブセントアンドリュース（Ｒ＆Ａ）等のようなゴルフの標準化組織および／または運営団体によって、新たな規定が採用されることがあり、または旧ルールが廃止もしくは修正されることがある）ので、本明細書で説明する装置、方法、および製品に関連するゴルフ用品は、任意の特定の時点のゴルフのルールに準拠していることもあり、準拠していないこともある。したがって、本明細書で説明する装置、方法、製品に関連するゴルフ用品は、準拠している、または準拠していないゴルフ用品として、広告され、売りに出され、および／または販売されることがある。本明細書で説明する装置、方法、および製品は、この点に関して限定されない。
【０１６７】
さらに、本明細書で開示する実施形態および限定事項は、実施形態および／または限定事項が、（１）特許請求の範囲において明示的に特許請求されておらず、（２）均等論の下で、特許請求の範囲における明示的な要素および／もしくは限定事項の均等物であるか、または潜在的な均等物である場合、公有の原則の下で公に供されることはない。
本明細書に記載の技術の特徴を列挙する。
（特徴１）
ゴルフクラブヘッドであって、
上端部および前記上端部の反対側にある底端部と、
前端部および前記前端部の反対側にある後端部と、
トゥ端部および前記トゥ端部の反対側にあるヒール端部と、
フェース要素であって、
前記前端部に位置し、フェース中心およびフェース周縁部を備えるフェース面と、
前記後端部に位置し、前記フェース面とは略反対側にある後面であって、前記フェース中心の略反対側にある後中心および後周縁部を備える後面と、
を備える前記フェース要素と、
前記後面に位置する強化デバイスと、を備え、
ｘ軸が、前記フェース面に略平行に延在し、かつ前記後中心を通過し、
ｙ軸が、前記フェース面に略平行に延在し、前記ｘ軸に略垂直に延在し、かつ前記後中心を通過し、
ｚ軸が、前記フェース面に略垂直に延在し、前記ｘ軸および前記ｙ軸に略垂直に延在し、かつ前記後中心を通過し、
前記ｘ軸が、前記トゥ端部および前記ヒール端部を通って、前記上端部と前記底端部から等距離の位置で延在し、
前記ｙ軸が、前記上端部および前記底端部を通って、前記トゥ端部と前記ヒール端部から等距離の位置で延在し、
前記ｚ軸が、前記前端部および前記後端部を通って、（ｉ）前記トゥ端部と前記ヒール端部から、（ｉｉ）前記上端部と前記後端部から等距離の位置で延在し、
前記強化デバイスが、略前記ｚ軸上に位置する幾何学的中心を備える強化要素を備え、
前記強化要素が、前記後面から前記後端部に向かうとともに前記前端部から離れるように延在し、
前記強化要素が、外周縁面および内周縁面を有するループ状リブを備え、
前記フェース面が、前記フェース周縁部の近位においてよりも前記フェース中心の近位において前記後面により近くなっており、
前記強化要素の前記外周縁面が、およそ０．０１２センチメートル以上の半径を有するすみ肉を用いて、前記後面に対してすみ肉付けされ、
前記内周縁面が、およそ０．６０９センチメートル以上からおよそ１．８８センチメートルの最大のリブスパンを含む、ゴルフクラブヘッド。
（特徴２）
前記フェース面が、前記トゥ端部と前記ヒール端部との間に延在する１つまたは複数のスコアリングラインを備える、特徴１に記載のゴルフクラブヘッド。
（特徴３）
前記クラブヘッドの前記後面上に位置するリップ部をさらに備える、特徴１に記載のゴルフクラブヘッド。
（特徴４）
前記後面が、前記フェース周縁部の近位においてよりも前記フェース中心において前記フェース面により近くなっていること、及び
前記フェース中心から前記後中心までの中心厚さが、およそ０．２０３センチメートル以下であること、のうちの少なくとも一方である、特徴１に記載のゴルフクラブヘッド。
（特徴５）
前記ループ状リブが、前記ｘ軸に対して対称であること、及び
前記ループ状リブが、前記ｙ軸に対して対称であること、のうちの少なくとも一方である、特徴１に記載のゴルフクラブヘッド。
（特徴６）
前記ループ状リブが、楕円形ループ状リブを備える、特徴５に記載のゴルフクラブヘッド。
（特徴７）
前記楕円形ループ状リブが、円形ループ状リブを備える、特徴６に記載のゴルフクラブヘッド。
（特徴８）
前記ループ状リブの前記内周縁面が、前記後面に対してすみ肉付けされる、特徴１に記載のゴルフクラブヘッド。
（特徴９）
前記ループ状リブが、前記内周縁面と前記後面とによって画定されるキャビティを備え、
前記キャビティに加重インサートがない、特徴１に記載のゴルフクラブヘッド。
（特徴１０）
前記ループ状リブが、前記内周縁面と前記後面とによって画定されるキャビティを備え、
前記キャビティがインサートを収容する、特徴１に記載のゴルフクラブヘッド。
（特徴１１）
前記インサートが、エラストマーまたは発泡体を含む、特徴１０に記載のゴルフクラブヘッド。
（特徴１２）
前記後面が少なくとも部分的に、その上に配設された振動減衰特徴部を備え、
前記振動減衰特徴部が、
前記ゴルフクラブヘッドの前記後面上に配設される制振フォイルと、
前記ゴルフクラブヘッドの前記後面を少なくとも部分的に覆うバッジ、及び
前記キャビティを少なくとも部分的に覆うバッジ、の少なくとも一方と、を備える、
特徴１０に記載のゴルフクラブヘッド。
（特徴１３）
前記制振フォイルが、前記バッジと、
前記ゴルフクラブヘッドの前記後面、及び
前記キャビティ、のうちの少なくとも一方との間に位置する、
特徴１２に記載のゴルフクラブヘッド。
（特徴１４）
前記後面から前記後端部に向かうとともに前記前端部から離れるように延在する周縁壁要素をさらに備え、前記周縁壁要素が、
前記上端部で前記後面の前記周縁部に沿って延在する第１の周縁壁部と、
前記底端部で前記後面の前記周縁部に沿って延在する第２の周縁壁部と、を備える、特徴１に記載のゴルフクラブヘッド。
（特徴１５）
前記強化要素が、外周縁面を備え、
前記ループ状リブが、外周縁面および内周縁面を備え、
前記強化要素の前記外周縁面が、前記ループ状リブの前記外周縁面を備え、
前記ループ状リブの前記内周縁面と前記ループ状リブの前記外周縁面との間のリブ厚さが、およそ０．０５０８センチメートルからおよそ１．４４８センチメートルである、特徴１に記載のゴルフクラブヘッド。
（特徴１６）
ゴルフクラブヘッドを提供する方法であって、
前記前端部に位置し、フェース中心およびフェース周縁部を備えるフェース面と、
前記後端部に位置し、前記フェース面とは略反対側にある後面であって、前記フェース中心の略反対側にある後中心、および後周縁部を備える後面と、を備えるフェース要素を提供する工程と、
前記後面に強化デバイスを提供する工程と、を備え、
前記ゴルフクラブヘッドが、
上端部および前記上端部の反対側にある底端部と、
前端部および前記前端部の反対側にある後端部と、
トゥ端部および前記トゥ端部の反対側にあるヒール端部と、を備え、
ｘ軸が、前記フェース面に略平行に延在し、前記後中心を通過し、
ｙ軸が、前記フェース面に略平行に延在し、前記ｘ軸に略垂直に延在し、前記後中心を通過し、
ｚ軸が、前記フェース面に略垂直に延在し、前記ｘ軸および前記ｙ軸に略垂直に延在し、前記後中心を通過し、
前記ｘ軸が、前記トゥ端部および前記ヒール端部を通って、前記上端部と前記底端部から等距離の位置で延在し、
前記ｙ軸が、前記上端部および前記底端部を通って、前記トゥ端部と前記ヒール端部から等距離の位置で延在し、
前記ｚ軸が、前記前端部および前記後端部を通って、（ｉ）前記トゥ端部と前記ヒール端部から、（ｉｉ）前記上端部と前記後端部から等距離の位置で延在し、
前記強化デバイスを提供する工程が、略前記ｚ軸上に位置する幾何学的中心を備える強化要素を提供する工程を含み、
前記強化要素が、前記後面から前記後端部に向かうとともに前記前端部から離れるように延在し、
前記強化要素が、外周縁面および内周縁面を有するループ状リブを備え、
前記フェース面が、前記フェース周縁部の近位においてよりも前記フェース中心の近位において前記後面により近くなっており、
前記強化要素の前記外周縁面が、およそ０．０１２センチメートル以上の半径を有するすみ肉を用いて、前記後面に対してすみ肉付けされ、
前記内周縁面が、およそ０．６０９センチメートル以上からおよそ１．８８センチメートルの最大のリブスパンを含む、方法。
（特徴１７）
前記ループ状リブが、前記内周縁面と前記後面とによって画定される中心キャビティを備え、
前記中心キャビティがインサートを収容する、特徴１６に記載の方法。
（特徴１８）
前記強化要素が、第１の強化要素を備え、
前記ループ状リブが、第１のループ状リブを備え、
前記強化デバイスを提供する工程が、第２の強化要素を提供する工程をさらに含み、
前記第２の強化要素が、第２のループ状リブを備え、
前記第２のループ状リブが、前記第１のループ状リブと略同心である、特徴１６に記載の方法。
（特徴１９）
ゴルフクラブであって、
シャフトと、
前記シャフトに結合されたゴルフクラブヘッドであって、
上端部および前記上端部の反対側にある底端部と、
前端部および前記前端部の反対側にある後端部と、
トゥ端部および前記トゥ端部の反対側にあるヒール端部と、
フェース要素であって、
前記前端部に位置し、フェース中心およびフェース周縁部を備えるフェース面と、
前記後端部に位置し、前記フェース面とは略反対側にある後面であって、前記フェース中心の略反対側にある後中心、および後周縁部を備える後面と、
を備えるフェース要素と、
前記後面に位置する強化デバイスと、
を備えるゴルフクラブヘッドと、を備え、
ｘ軸が、前記フェース面に略平行に延在し、前記後中心を通過し、
ｙ軸が、前記フェース面に略平行に延在し、前記ｘ軸に略垂直に延在し、前記後中心を通過し、
ｚ軸が、前記フェース面に略垂直に延在し、前記ｘ軸および前記ｙ軸に略垂直に延在し、前記後中心を通過し、
前記ｘ軸が、前記トゥ端部および前記ヒール端部を通って、前記上端部と前記底端部から等距離の位置で延在し、
前記ｙ軸が、前記上端部および前記底端部を通って、前記トゥ端部と前記ヒール端部から等距離の位置で延在し、
前記ｚ軸が、前記前端部および前記後端部を通って、（ｉ）前記トゥ端部と前記ヒール端部から、（ｉｉ）前記上端部と前記後端部から等距離の位置で延在し、
前記強化デバイスが、略前記ｚ軸上に位置する幾何学的中心を有する強化要素を備え、
前記強化要素が、前記後面から前記後端部に向かうとともに前記前端部から離れるように延在し、
前記強化要素が、外周縁面および内周縁面を有するループ状リブを備え、
前記フェース面が、前記フェース周縁部の近位においてよりも前記フェース中心の近位において前記後面により近くなっており、
前記強化要素の前記外周縁面が、およそ０．０１２センチメートル以上の半径を有するすみ肉を用いて、前記後面に対してすみ肉付けされ、また
前記内周縁面が、およそ０．６０９センチメートル以上からおよそ１．８８センチメートルの最大のリブスパンを含む、
ゴルフクラブ。
【図１】
0006989388.tif 000002
【図２】
0006989388.tif 000003
【図３】
0006989388.tif 000004
【図４】
0006989388.tif 000005
【図５】
0006989388.tif 000006
【図６】
0006989388.tif 000007
【図７】
0006989388.tif 000008
【図８】
0006989388.tif 000009
【図９】
0006989388.tif 000010
【図１０】
0006989388.tif 000011
【図１１】
0006989388.tif 000012
【図１２】
0006989388.tif 000013
【図１３】
0006989388.tif 000014
【図１４】
0006989388.tif 000015
【図１５】
0006989388.tif 000016
【図１６】
0006989388.tif 000017
【図１７】
0006989388.tif 000018